(57)【要約】【課題】画像のカラーバランスを長期間安定的に保ち、保存性に優れた画像を記録することができるインクジェット記録用イエローインク及びインクジェット記録用インクセットを提供する。【解決手段】下記一般式（Ｙ）で表される化合物及びその塩からなる群より選ばれる水溶性アゾ染料と、下記一般式（Ａ）で表されるグリコールエーテルとを含み、前記グリコールエーテルの全水溶性有機溶剤に対する割合が２５質量％以上である。2010077224.tif 000064【選択図】なし【特許請求の範囲】
【請求項１】
下記一般式（Ｙ）で表される化合物及びその塩からなる群より選ばれる水溶性アゾ染料と、下記一般式（Ａ）で表されるグリコールエーテルとを含み、前記グリコールエーテルの全水溶性有機溶剤に対する割合が２５質量％以上であるインクジェット記録用イエローインク。
【化１】
2010077224.tif 000054
〔一般式（Ｙ）中、Ｇはヘテロ環基を表し、Ｒ、Ｘ、Ｙ、Ｚ、及びＱは置換基を表し、ｎは１〜３の整数を表す。ｎが１のとき、Ｒ、Ｘ、Ｙ、Ｚ、Ｑ、及びＧは１価の置換基を表し、ｎが２のとき、Ｒ、Ｘ、Ｙ、Ｚ、Ｑ、及びＧは１価又は２価の置換基を表し、少なくとも１つは２価の置換基を表し、ｎが３のとき、Ｒ、Ｘ、Ｙ、Ｚ、Ｑ、及びＧは１価、２価又は３価の置換基を表し、少なくとも２つが２価の置換基を表すか又は少なくとも１つが３価の置換基を表す。〕
【化２】
2010077224.tif 000055
〔一般式（Ａ）中、Ａはエチレンオキシ基又はプロピレンオキシ基を表す。Ａがエチレンオキシ基を表す場合、Ｒは炭素数１〜４の直鎖アルキル基を表し、Ａがプロピレンオキシ基を表す場合、Ｒは炭素数１〜２の直鎖アルキル基を表す。ｎは、１又は２を表す。〕
【請求項２】
前記グリコールエーテルは、デービス法によるＨＬＢ値が７．０〜９．５であることを特徴とする請求項１に記載のインクジェット記録用イエローインク。
【請求項３】
前記一般式（Ｙ）で表される化合物が、下記一般式（Ｙ−１）で表される化合物、下記一般式（Ｙ−２）で表される化合物、下記一般式（Ｙ−３）で表される化合物、下記一般式（Ｙ−４）で表される化合物、及び下記一般式（Ｙ−５）で表される化合物、並びにこれらの塩からなる群より選ばれる少なくとも一種であることを特徴とする請求項１又は請求項２に記載のインクジェット記録用イエローインク。
【化３】
2010077224.tif 000056
〔一般式（Ｙ−１）中、Ｒ１、Ｒ２、Ｘ１、Ｘ２、Ｙ１、Ｙ２、Ｚ１、及びＺ２は、それぞれ独立に１価の基を表し、Ｇは５員〜８員の含窒素ヘテロ環を構成する原子団を表し、Ｍは水素原子又はカチオンを表す。ｍ１は、０〜３の整数を表す。〕
【化４】
2010077224.tif 000057
〔一般式（Ｙ−２）中、Ｒ１、Ｒ２、Ｒ１１、Ｒ１２、Ｘ１、Ｘ２、Ｚ１、及びＺ２は、それぞれ独立に１価の基を表し、Ｌ１は２価の連結基を表し、Ｇ１及びＧ２はそれぞれ独立に５員〜８員の含窒素ヘテロ環を構成する原子団を表し、Ｍは水素原子又はカチオンを表す。ｍ２１及びｍ２２は、それぞれ独立に０〜３の整数を表す。〕
【化５】
2010077224.tif 000058
〔一般式（Ｙ−３）中、Ｒ１、Ｒ２、Ｒ１１、Ｒ１２、Ｘ１、Ｘ２、Ｙ１、及びＹ２は、それぞれ独立に１価の基を表し、Ｌ２は２価の連結基を表し、Ｇ１及びＧ２はそれぞれ独立に５員〜８員の含窒素ヘテロ環を構成する原子団を表し、Ｍは水素原子又はカチオンを表す。ｍ３１及びｍ３２は、それぞれ独立に０〜３の整数を表す。〕
【化６】
2010077224.tif 000059
〔一般式（Ｙ−４）中、Ｒ１１、Ｒ１２、Ｘ１、Ｘ２、Ｙ１、Ｙ２、Ｚ１、及びＺ２は、それぞれ独立に１価の基を表し、Ｌ３は２価の連結基を表し、Ｇ１及びＧ２はそれぞれ独立に５員〜８員の含窒素ヘテロ環を構成する原子団を表し、Ｍは水素原子又はカチオンを表す。ｍ４１及びｍ４２は、それぞれ独立に０〜３の整数を表す。〕
【化７】
2010077224.tif 000060
〔一般式（Ｙ−５）中、Ｒ１、Ｒ２、Ｒ１１、Ｒ１２、Ｙ１、Ｙ２、Ｚ１、及びＺ２は、それぞれ独立に１価の基を表し、Ｌ４は２価の連結基を表し、Ｇ１及びＧ２はそれぞれ独立に５員〜８員の含窒素ヘテロ環を構成する原子団を表し、Ｍは水素原子又はカチオンを表す。ｍ５１及びｍ５２は、それぞれ独立に０〜３の整数を表す。〕
【請求項４】
前記グリコールエーテルは、デービス法によるＨＬＢ値が８．１〜９．１であることを特徴とする請求項１〜請求項３のいずれか１項に記載のインクジェット記録用イエローインク。
【請求項５】
前記グリコールエーテルが、ジエチレングリコールモノプロピルエーテル、ジエチレングリコールモノエチルエーテル、エチレングリコールモノエチルエーテル、ジエチレングリコールモノメチルエーテル、エチレングリコールモノメチルエーテル、ジプロピレングリコールモノメチルエーテル、及びプロピレングリコールモノメチルエーテルより選ばれる少なくとも１種であることを特徴とする請求項１〜請求項４のいずれか１項に記載のインクジェット記録用イエローインク。
【請求項６】
更に、ノニオン系界面活性剤を含有することを特徴とする請求項１〜請求項５のいずれか１項に記載のインクジェット記録用イエローインク。
【請求項７】
前記ノニオン系界面活性剤が、アセチレンジオール系界面活性剤であることを特徴とする請求項６に記載のインクジェット記録用イエローインク。
【請求項８】
請求項１〜請求項７のいずれか１項に記載のインクジェット記録用イエローインクと、マゼンタ染料を含むマゼンタインクと、シアン染料を含むシアンインクとを有するインクジェット記録用インクセット。
【請求項９】
前記シアン染料は、下記一般式（Ｃ−１）で表される化合物及びその塩からなる群より選ばれる水溶性フタロシアニン染料であることを特徴とする請求項８に記載のインクジェット記録用インクセット。
【化８】
2010077224.tif 000061
〔一般式（Ｃ−１）中、Ｑ１〜Ｑ４、Ｐ１〜Ｐ４、Ｗ１〜Ｗ４、Ｒ１〜Ｒ４は、それぞれ独立に、（＝Ｃ（Ｊ１）−又は−Ｎ＝）、（＝Ｃ（Ｊ２）−又は−Ｎ＝）、（＝Ｃ（Ｊ３）−又は−Ｎ＝）、（＝Ｃ（Ｊ４）−又は−Ｎ＝）を表す。Ｊ１〜Ｊ４は、それぞれ独立に水素原子又は置換基を表す。「Ｑ１、Ｐ１、Ｗ１、及びＲ１」を含む環Ａ、「Ｑ２、Ｐ２、Ｗ２、及びＲ２」を含む環Ｂ、「Ｑ３、Ｐ３、Ｗ３、及びＲ３」を含む環Ｃ、並びに「Ｑ４、Ｐ４、Ｗ４、及びＲ４」を含む環Ｄの４つの環は、芳香族炭化水素環又はヘテロ環を表す。Ｍは、水素原子、金属元素、金属酸化物、金属水酸化物、又は金属ハロゲン化物を表す。〕
【請求項１０】
前記マゼンタインクは、下記一般式（Ｍ−１）で表される水溶性アゾ染料を含有することを特徴とする請求項８又は請求項９に記載のインクジェット記録用インクセット。
【化９】
2010077224.tif 000062
〔一般式（Ｍ−１）中、Ａは、５員ヘテロ環ジアゾ成分Ａ−ＮＨ２の残基を表す。Ｂ１及びＢ２は、各々−ＣＲ１３＝、−ＣＲ１４＝を表すか、あるいはいずれか一方が窒素原子、他方が−ＣＲ１３＝又は−ＣＲ１４＝を表す。Ｒ１１及びＲ１２は、各々独立に、水素原子、アルキル基、シクロアルキル基、アルケニル基、アルキニル基、アラルキル基、アリール基、ヘテロ環基、アシル基、アルコキシカルボニル基、アリールオキシカルボニル基、カルバモイル基、アルキルスルホニル基、アリールスルホニル基、又はスルファモイル基を表わす。Ｇ、Ｒ１３、及びＲ１４は、各々独立に、水素原子、ハロゲン原子、アルキル基、アルケニル基、アルキニル基、アラルキル基、アリール基、ヘテロ環基、シアノ基、カルボキシル基、カルバモイル基、アルコキシカルボニル基、アリールオキシカルボニル基、アシル基、ヒドロキシ基、アルコキシ基、アリールオキシ基、シリルオキシ基、アシルオキシ基、カルバモイルオキシ基、ヘテロ環オキシ基、アルコキシカルボニルオキシ基、アリールオキシカルボニルオキシ基、アルキル基又はアリール基又はヘテロ環基で置換されたアミノ基、アシルアミノ基、ウレイド基、スルファモイルアミノ基、アルコキシカルボニルアミノ基、アリールオキシカルボニルアミノ基、アルキルスルホニルアミノ基、アリールスルホニルアミノ基、ニトロ基、アルキルチオ基、アリールチオ基、アルキルスルホニル基、アリールスルホニル基、アルキルスルフィニル基、アリールスルフィニル基、スルファモイル基、ヘテロ環チオ基、又はイオン性親水性基を表す。また、Ｒ１３とＲ１１、あるいはＲ１１とＲ１２は結合して５〜６員環を形成してもよい。但し、一般式（Ｍ−１）は、少なくとも一つのイオン性親水性基を有する。〕
【請求項１１】
更に、ブラックインクを含むことを特徴とする請求項８〜請求項１０のいずれか１項に記載のインクジェット記録用インクセット。
【請求項１２】
前記ブラックインクは、下記一般式（Ｂ−１）で表される水溶性アゾ染料を含有することを特徴とする請求項１１に記載のインクジェット記録用インクセット。
【化１０】
2010077224.tif 000063
〔一般式（Ｂ−１）中、Ａは、１価の芳香族基又はヘテロ環基を表し、Ｂは２価の芳香族基又はヘテロ環基を表す。Ｔ１及びＴ２は、各々＝ＣＲ４３−、−ＣＲ４４＝を表すか、あるいはいずれか一方が窒素原子を表し、他方が＝ＣＲ４３−又は−ＣＲ４４＝を表す。Ｖ１  、Ｒ４３、及びＲ４４は、各々独立に、水素原子、ハロゲン原子、アルキル基、アルケニル基、アルキニル基、アラルキル基、アリール基、ヘテロ環基、シアノ基、カルボキシル基、カルバモイル基、アルコキシカルボニル基、アリールオキシカルボニル基、複素環オキシカルボニル基、アシル基、ヒドロキシ基、アルコキシ基、アリールオキシ基、ヘテロ環オキシ基、シリルオキシ基、アシルオキシ基、カルバモイルオキシ基、アルコキシカルボニルオキシ基、アリールオキシカルボニルオキシ基、アミノ基（アルキルアミノ基、アリ−ルアミノ基、ヘテロ環アミノ基を含む）、アシルアミノ基、ウレイド基、スルファモイルアミノ基、アルコキシカルボニルアミノ基、アリールオキシカルボニルアミノ基、アルキルスルホニルアミノ基、アリールスルホニルアミノ基、ヘテロ環スルホニルアミノ基、ニトロ基、アルキルチオ基、アリールチオ基、ヘテロ環チオ基、アルキルスルホニル基、アリールスルホニル基、ヘテロ環スルホニル基、アルキルスルフィニル基、アリールスルフィニル基、ヘテロ環スルフィニル基、スルファモイル基、又はスルホ基を表す。Ｒ４１及びＲ４２は、各々独立に、水素原子、アルキル基、アルケニル基、アルキニル基、アラルキル基、アリール基、ヘテロ環基、アシル基、アルコキシカルボニル基、アリールオキシカルボニル基、カルバモイル基、アルキルスルホニル基、アリールスルホニル基、スルファモイル基を表す。但し、Ｒ４１とＲ４２とが同時に水素原子であることはない。また、Ｒ４３とＲ４１、あるいはＲ４１とＲ４２は、結合して５員環又は６員環を形成してもよい。〕
【請求項１３】
支持体上に無機微粒子を含有するインク受容層を有するインクジェット記録媒体上に、請求項１〜請求項７のいずれか１項に記載のインクジェット記録用イエローインク、又は請求項８〜請求項１２のいずれか１項に記載のインクジェット記録用インクセットを用いて画像を記録するインクジェット記録方法。
【請求項１４】
前記インク受容層が、バインダーとしてポリビニルアルコール又はその誘導体を含有することを特徴とする請求項１３に記載のインクジェット記録方法。
【発明の詳細な説明】
【技術分野】
【０００１】
本発明は、インクジェット法でインクを吐出して画像を記録するのに好適なインクジェット記録用イエローインク、並びにこれを用いたインクジェット記録用インクセット及びインクジェット記録方法に関する。
【背景技術】
【０００２】
インクジェット記録用のインクとしては、水性インク、油性インク、あるいは固体（溶融型）インクが用いられている。
【０００３】
このようなインクジェット記録用のインクに用いられる色素としては、一般に、水などの溶剤に対する溶解性が良好なこと、色相が良好なこと、光、熱、環境中の活性ガス（ＮＯｘ、オゾン等の酸化性ガスの他ＳＯｘなど）に対して堅牢であること、水や薬品に対する堅牢性に優れること、受像材料に対して定着性が良く滲みにくいこと、インクとしての保存性に優れること、色純度が高いこと、等が要求されている。
【０００４】
特に、色素は光、湿度、熱に対して堅牢であることが重要であり、記録用の材料である性質上、例えば多孔質の白色無機顔料粒子を含有するインク受容層を有する受像材料上に記録した際に記録画像が環境中のオゾン等の酸化性ガスに対して堅牢であることが望まれている。
【０００５】
また、例えばイエロー、マゼンタ、シアン等を用いてカラー画像を記録する場合、記録時にはカラーバランスが調整されて色合いの良好な画像が得られるが、記録後の経時で各色の褪色の程度が同一環境下で異なると、経時に伴なって次第にカラーバランスが崩れ、画像全体の色調が大きく劣化する。
【０００６】
色の堅牢さに関連し、堅牢な画像の記録が可能なインクとして、光、熱、湿度、及び環境中の活性ガスに対して堅牢性を有するインク組成物が開示されている（例えば、特許文献１参照）。
【０００７】
また、特定の黄色系染料からなる色材とＨＬＢ値が５．４〜８．０であるグリコールエーテルと溶媒とを含むインク組成物が開示されており（例えば、特許文献２参照）、複数のインク組成物の組合せからなるインクセットとして用いた際に、混色が均一で色ムラのない美麗な発色が可能であり、長期間に渡って発色状態を維持できるとされている。
【特許文献１】特開２００７−１９７４９１号公報
【特許文献２】特開２００７−３０２８１０号公報
【発明の開示】
【発明が解決しようとする課題】
【０００８】
しかし、上記従来のインク組成物では、特にイエロー染料の堅牢性が他のシアン染料やマゼンタ染料に比べて良好なために、記録後経時で画像のカラーバランスが崩れやすく、記録時の画像色調を長時間安定に保てない場合がある。
【０００９】
また、黄色系染料及びグリコールエーテルを含む上記のインク組成物では、初期に堅牢性の低い染料が多く褪色して初期の濃度変化が大きく、また、褪色による色相変化も大きく、所期の色調の画像を安定に保てない。
【００１０】
本発明は、上記に鑑みなされたものであり、画像のカラーバランスを長期間安定的に保ち、保存性に優れた画像を記録することができるインクジェット記録用イエローインク及びインクジェット記録用インクセット、並びにこれを用いたインクジェット記録方法を提供することを目的とし、該目的を達成することを課題とする。
【課題を解決するための手段】
【００１１】
本発明は、モノアルキレン又はジアルキレングリコールアルキルエーテルは、数ある有機溶剤の中でも特に染料の着色濃度の低下を招来しにくく、イエロー染料量を減らして色調調整しようとする場合にも濃度・色相を維持でき、経時による褪色バランスを保ちやすいとの知見を得、かかる知見に基づいて達成されたものである。
【００１２】
前記課題を達成するための具体的手段は以下の通りである。
＜１＞  下記一般式（Ｙ）で表される化合物及びその塩からなる群より選ばれる水溶性アゾ染料と、下記一般式（Ａ）で表されるグリコールエーテルとを含み、前記グリコールエーテルの全水溶性有機溶剤に対する割合が２５質量％以上であるインクジェット記録用イエローインク。
【００１３】
【化１】
2010077224.tif 000002
【００１４】
前記一般式（Ｙ）中、Ｇはヘテロ環基を表し、Ｒ、Ｘ、Ｙ、Ｚ、及びＱは置換基を表し、ｎは１〜３の整数を表す。ｎが１のとき、Ｒ、Ｘ、Ｙ、Ｚ、Ｑ、及びＧは１価の置換基を表し、ｎが２のとき、Ｒ、Ｘ、Ｙ、Ｚ、Ｑ、及びＧは１価又は２価の置換基を表し、少なくとも１つは２価の置換基を表し、ｎが３のとき、Ｒ、Ｘ、Ｙ、Ｚ、Ｑ、及びＧは１価、２価又は３価の置換基を表し、少なくとも２つが２価の置換基を表すか又は少なくとも１つが３価の置換基を表す。
【００１５】
【化２】
2010077224.tif 000003
【００１６】
前記一般式（Ａ）中、Ａはエチレンオキシ基又はプロピレンオキシ基を表す。Ａがエチレンオキシ基を表す場合、Ｒは炭素数１〜４の直鎖アルキル基を表し、Ａがプロピレンオキシ基を表す場合、Ｒは炭素数１〜２の直鎖アルキル基を表す。ｎは、１又は２を表す。
＜２＞  前記グリコールエーテルは、デービス法によるＨＬＢ値が７．０〜９．５であることを特徴とする前記＜１＞に記載のインクジェット記録用イエローインク。
＜３＞  前記一般式（Ｙ）で表される化合物が、下記一般式（Ｙ−１）で表される化合物、下記一般式（Ｙ−２）で表される化合物、下記一般式（Ｙ−３）で表される化合物、下記一般式（Ｙ−４）で表される化合物、及び下記一般式（Ｙ−５）で表される化合物、並びにこれらの塩からなる群より選ばれる少なくとも一種であることを特徴とする前記＜１＞又は前記＜２＞に記載のインクジェット記録用イエローインク。
【００１７】
【化３】
2010077224.tif 000004
【００１８】
前記一般式（Ｙ−１）中、Ｒ１、Ｒ２、Ｘ１、Ｘ２、Ｙ１、Ｙ２、Ｚ１、及びＺ２は、それぞれ独立に１価の基を表し、Ｇは５員〜８員の含窒素ヘテロ環を構成する原子団を表し、Ｍは水素原子又はカチオンを表す。ｍ１は、０〜３の整数を表す。
【００１９】
【化４】
2010077224.tif 000005
【００２０】
前記一般式（Ｙ−２）中、Ｒ１、Ｒ２、Ｒ１１、Ｒ１２、Ｘ１、Ｘ２、Ｚ１、及びＺ２は、それぞれ独立に１価の基を表し、Ｌ１は２価の連結基を表し、Ｇ１及びＧ２はそれぞれ独立に５員〜８員の含窒素ヘテロ環を構成する原子団を表し、Ｍは水素原子又はカチオンを表す。ｍ２１及びｍ２２は、それぞれ独立に０〜３の整数を表す。
【００２１】
【化５】
2010077224.tif 000006
【００２２】
前記一般式（Ｙ−３）中、Ｒ１、Ｒ２、Ｒ１１、Ｒ１２、Ｘ１、Ｘ２、Ｙ１、及びＹ２は、それぞれ独立に１価の基を表し、Ｌ２は２価の連結基を表し、Ｇ１及びＧ２はそれぞれ独立に５員〜８員の含窒素ヘテロ環を構成する原子団を表し、Ｍは水素原子又はカチオンを表す。ｍ３１及びｍ３２は、それぞれ独立に０〜３の整数を表す。
【００２３】
【化６】
2010077224.tif 000007
【００２４】
前記一般式（Ｙ−４）中、Ｒ１１、Ｒ１２、Ｘ１、Ｘ２、Ｙ１、Ｙ２、Ｚ１、及びＺ２は、それぞれ独立に１価の基を表し、Ｌ３は２価の連結基を表し、Ｇ１及びＧ２はそれぞれ独立に５員〜８員の含窒素ヘテロ環を構成する原子団を表し、Ｍは水素原子又はカチオンを表す。ｍ４１及びｍ４２は、それぞれ独立に０〜３の整数を表す。
【００２５】
【化７】
2010077224.tif 000008
【００２６】
前記一般式（Ｙ−５）中、Ｒ１、Ｒ２、Ｒ１１、Ｒ１２、Ｙ１、Ｙ２、Ｚ１、及びＺ２は、それぞれ独立に１価の基を表し、Ｌ４は２価の連結基を表し、Ｇ１及びＧ２はそれぞれ独立に５員〜８員の含窒素ヘテロ環を構成する原子団を表し、Ｍは水素原子又はカチオンを表す。ｍ５１及びｍ５２は、それぞれ独立に０〜３の整数を表す。
＜４＞  前記グリコールエーテルは、デービス法によるＨＬＢ値が８．１〜９．１であることを特徴とする前記＜１＞〜前記＜３＞のいずれか１つに記載のインクジェット記録用イエローインク。
＜５＞  前記グリコールエーテルが、ジエチレングリコールモノプロピルエーテル、ジエチレングリコールモノエチルエーテル、エチレングリコールモノエチルエーテル、ジエチレングリコールモノメチルエーテル、エチレングリコールモノメチルエーテル、ジプロピレングリコールモノメチルエーテル、及びプロピレングリコールモノメチルエーテルより選ばれる少なくとも１種であることを特徴とする前記＜１＞〜前記＜４＞のいずれか１つに記載のインクジェット記録用イエローインク。
＜６＞  更に、ノニオン系界面活性剤を含有することを特徴とする前記＜１＞〜前記＜５＞のいずれか１つに記載のインクジェット記録用イエローインク。
＜７＞  前記ノニオン系界面活性剤が、アセチレンジオール系界面活性剤であることを特徴とする前記＜６＞に記載のインクジェット記録用イエローインク。
【００２７】
＜８＞  前記＜１＞〜前記＜７＞のいずれか１つに記載のインクジェット記録用イエローインクと、マゼンタ染料を含むマゼンタインクと、シアン染料を含むシアンインクとを有するインクジェット記録用インクセット。
＜９＞  前記シアン染料は、下記一般式（Ｃ−１）で表される化合物及びその塩からなる群より選ばれる水溶性フタロシアニン染料であることを特徴とする前記＜８＞に記載のインクジェット記録用インクセット。
【００２８】
【化８】
2010077224.tif 000009
【００２９】
前記一般式（Ｃ−１）中、Ｑ１〜Ｑ４、Ｐ１〜Ｐ４、Ｗ１〜Ｗ４、Ｒ１〜Ｒ４は、それぞれ独立に、（＝Ｃ（Ｊ１）−又は−Ｎ＝）、（＝Ｃ（Ｊ２）−又は−Ｎ＝）、（＝Ｃ（Ｊ３）−又は−Ｎ＝）、（＝Ｃ（Ｊ４）−又は−Ｎ＝）を表す。Ｊ１〜Ｊ４は、それぞれ独立に水素原子又は置換基を表す。「Ｑ１、Ｐ１、Ｗ１、及びＲ１」を含む環Ａ、「Ｑ２、Ｐ２、Ｗ２、及びＲ２」を含む環Ｂ、「Ｑ３、Ｐ３、Ｗ３、及びＲ３」を含む環Ｃ、並びに「Ｑ４、Ｐ４、Ｗ４、及びＲ４」を含む環Ｄの４つの環は、芳香族炭化水素環又はヘテロ環を表す。Ｍは、水素原子、金属元素、金属酸化物、金属水酸化物、又は金属ハロゲン化物を表す。
＜１０＞  前記マゼンタインクは、下記一般式（Ｍ−１）で表される水溶性アゾ染料を含有することを特徴とする前記＜８＞又は前記＜９＞に記載のインクジェット記録用インクセット。
【００３０】
【化９】
2010077224.tif 000010
【００３１】
前記一般式（Ｍ−１）中、Ａは、５員ヘテロ環ジアゾ成分Ａ−ＮＨ２の残基を表す。Ｂ１及びＢ２は、各々−ＣＲ１３＝、−ＣＲ１４＝を表すか、あるいはいずれか一方が窒素原子、他方が−ＣＲ１３＝又は−ＣＲ１４＝を表す。Ｒ１１及びＲ１２は、各々独立に、水素原子、アルキル基、シクロアルキル基、アルケニル基、アルキニル基、アラルキル基、アリール基、ヘテロ環基、アシル基、アルコキシカルボニル基、アリールオキシカルボニル基、カルバモイル基、アルキルスルホニル基、アリールスルホニル基、又はスルファモイル基を表わす。各基は更に置換基を有していてもよい。 Ｇ、Ｒ１３、及びＲ１４は、各々独立に、水素原子、ハロゲン原子、アルキル基、アルケニル基、アルキニル基、アラルキル基、アリール基、ヘテロ環基、シアノ基、カルボキシル基、カルバモイル基、アルコキシカルボニル基、アリールオキシカルボニル基、アシル基、ヒドロキシ基、アルコキシ基、アリールオキシ基、シリルオキシ基、アシルオキシ基、カルバモイルオキシ基、ヘテロ環オキシ基、アルコキシカルボニルオキシ基、アリールオキシカルボニルオキシ基、アルキル基又はアリール基又はヘテロ環基で置換されたアミノ基、アシルアミノ基、ウレイド基、スルファモイルアミノ基、アルコキシカルボニルアミノ基、アリールオキシカルボニルアミノ基、アルキルスルホニルアミノ基、アリールスルホニルアミノ基、ニトロ基、アルキルチオ基、アリールチオ基、アルキルスルホニル基、アリールスルホニル基、アルキルスルフィニル基、アリールスルフィニル基、スルファモイル基、ヘテロ環チオ基、又はイオン性親水性基を表す。各基は更に置換されていてもよい。また、Ｒ１３とＲ１１、あるいはＲ１１とＲ１２は結合して５〜６員環を形成してもよい。但し、一般式（Ｍ−１）は、少なくとも一つのイオン性親水性基を有する。
＜１１＞  更に、ブラックインクを含むことを特徴とする前記＜８＞〜前記＜１０＞のいずれか１つに記載のインクジェット記録用インクセット。
＜１２＞  前記ブラックインクは、下記一般式（Ｂ−１）で表される水溶性アゾ染料を含有することを特徴とする前記＜１１＞に記載のインクジェット記録用インクセット。
【００３２】
【化１０】
2010077224.tif 000011
【００３３】
前記一般式（Ｂ−１）中、Ａは、１価の芳香族基又はヘテロ環基を表し、Ｂは２価の芳香族基又はヘテロ環基を表す。Ｔ１及びＴ２は、各々＝ＣＲ４３−、−ＣＲ４４＝を表すか、あるいはいずれか一方が窒素原子を表し、他方が＝ＣＲ４３−又は−ＣＲ４４＝を表す。Ｖ１  、Ｒ４３、及びＲ４４は、各々独立に、水素原子、ハロゲン原子、アルキル基、アルケニル基、アルキニル基、アラルキル基、アリール基、ヘテロ環基、シアノ基、カルボキシル基、カルバモイル基、アルコキシカルボニル基、アリールオキシカルボニル基、複素環オキシカルボニル基、アシル基、ヒドロキシ基、アルコキシ基、アリールオキシ基、ヘテロ環オキシ基、シリルオキシ基、アシルオキシ基、カルバモイルオキシ基、アルコキシカルボニルオキシ基、アリールオキシカルボニルオキシ基、アミノ基（アルキルアミノ基、アリ−ルアミノ基、ヘテロ環アミノ基を含む）、アシルアミノ基、ウレイド基、スルファモイルアミノ基、アルコキシカルボニルアミノ基、アリールオキシカルボニルアミノ基、アルキルスルホニルアミノ基、アリールスルホニルアミノ基、ヘテロ環スルホニルアミノ基、ニトロ基、アルキルチオ基、アリールチオ基、ヘテロ環チオ基、アルキルスルホニル基、アリールスルホニル基、ヘテロ環スルホニル基、アルキルスルフィニル基、アリールスルフィニル基、ヘテロ環スルフィニル基、スルファモイル基、又はスルホ基を表す。し、各基は更に置換されていてもよい。 Ｒ４１及びＲ４２は、各々独立に、水素原子、アルキル基、アルケニル基、アルキニル基、アラルキル基、アリール基、ヘテロ環基、アシル基、アルコキシカルボニル基、アリールオキシカルボニル基、カルバモイル基、アルキルスルホニル基、アリールスルホニル基、スルファモイル基を表す。し、各基は更に置換基を有していてもよい。但し、Ｒ４１とＲ４２とが同時に水素原子であることはない。また、Ｒ４３とＲ４１、あるいはＲ４１とＲ４２は、結合して５員環又は６員環を形成してもよい。
＜１３＞  支持体上に無機微粒子 多孔質の白色無機顔料粒子を含有するインク受容層を有するインクジェット記録媒体上に、前記＜１＞〜前記＜７＞のいずれか１つに記載のインクジェット記録用イエローインク、又は前記＜８＞〜前記＜１２＞のいずれか１つに記載のインクジェット記録用インクセットを用いて画像を記録するインクジェット記録方法。
＜１４＞  前記インク受容層が、バインダーとしてポリビニルアルコール又はその誘導体を含有することを特徴とする前記＜１３＞に記載のインクジェット記録方法。
【発明の効果】
【００３４】
本発明によれば、画像のカラーバランスを長期間安定的に保ち、保存性に優れた画像を記録することができるインクジェット記録用イエローインク及びインクジェット記録用インクセット、並びにこれを用いたインクジェット記録方法を提供することができる。
【発明を実施するための最良の形態】
【００３５】
以下、本発明のインクジェット記録用イエローインク及びインクジェット記録用インクセット、並びにこれを用いたインクジェット記録方法について詳細に説明する。
【００３６】
＜インクジェット記録用イエローインク＞
本発明のインクジェット記録用イエローインク（以下、単に「イエローインク」ともいう。）は、下記の一般式（Ｙ）で表される化合物及びその塩からなる群より選ばれる少なくとも１種の水溶性アゾ染料と、下記の一般式（Ａ）で表されるグリコールエーテルの少なくとも１種（以下、「本発明におけるグリコールエーテル」ということがある。）とを少なくとも含むと共に、一般式（Ａ）で表されるグリコールエーテルの含有割合が全水溶性有機溶剤に対して２５質量％以上となるように構成したものである。
【００３７】
本発明のイエローインクは、好ましくは更にノニオン系界面活性剤を用いて構成され、必要に応じて、更に、前記本発明におけるグリコールエーテル以外の他の水溶性有機溶剤及び／又は水やその他の成分を用いて構成することができる。
【００３８】
本発明においては、イエロー色用の染料として用いるピラゾールアゾ系のイエロー染料と共に、水溶性有機溶剤としてモノアルキレン又はジアルキレングリコールアルキルエーテルを用いることで、仮にイエロー染料の含有割合を減らしたり有機溶剤量が増えても、イエロー色の濃度及び色相を保ち、記録初期からの経時による多色画像の褪色時のカラーバランスを安定的に保つことができる。これより、カラーバランスが良好で長期での保存性に優れた画像が得られる。
【００３９】
［水溶性アゾ染料（イエロー系）］
本発明のイエローインクは、染料として、下記一般式（Ｙ）で表される化合物及びその塩からなる群より選ばれる水溶性アゾ染料の少なくとも１種を含有する。この水溶性アゾ染料は、色再現性に優れ、光、熱、湿度、及び環境中の活性ガスに対する堅牢性に優れる。なお、「水溶性」とは、水１００ｇ（２５℃）に１ｇ以上溶解することをいう。
【００４０】
【化１１】
2010077224.tif 000012
【００４１】
式中、Ｇはヘテロ環基を表し、Ｒ、Ｘ、Ｙ、Ｚ、及びＱは置換基を表し、ｎは１〜３の整数を表す。ｎが１のときは、Ｒ、Ｘ、Ｙ、Ｚ、Ｑ、及びＧは、１価の置換基を表す。ｎが２のときは、Ｒ、Ｘ、Ｙ、Ｚ、Ｑ、及びＧは、１価又は２価の置換基を表し、少なくとも１つは２価の置換基を表す。ｎが３のときは、Ｒ、Ｘ、Ｙ、Ｚ、Ｑ、及びＧは、１価、２価、又は３価の置換基を表し、少なくとも２つが２価の置換基を表すか又は少なくとも１つが３価の置換基を表す。
【００４２】
以下、一般式（Ｙ）について詳細に説明する。
一般式（Ｙ）中、Ｇとしては、５〜８員ヘテロ環基が好ましく、その中でも、５員又は６員の置換もしくは無置換の、芳香族もしくは非芳香族のヘテロ環基が好ましく、それらは更に縮環していてもよい。更に好ましくは、炭素数３〜３０の５員又は６員の芳香族のヘテロ環基である。
【００４３】
前記Ｇで表されるヘテロ環基の例には、置換位置を限定しないで例示すると、ピリジン、ピラジン、ピリダジン、ピリミジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリン、スルホランなどが挙げられる。
【００４４】
前記ヘテロ環基が、更に置換基を有することが可能な基であるときは、以下に挙げたような置換基を更に有してもよい。
【００４５】
炭素数１〜１２の直鎖又は分岐鎖アルキル基、炭素数７〜１８の直鎖又は分岐鎖アラルキル基、炭素数２〜１２の直鎖又は分岐鎖アルケニル基、炭素数２〜１２の直鎖又は分岐鎖アルキニル基、炭素数３〜１２の直鎖又は分岐鎖シクロアルキル基、炭素数３〜１２の直鎖又は分岐鎖シクロアルケニル基（以上の各基は分岐鎖を有するものが染料の溶解性及びインクの安定性を向上させる理由から好ましく、不斉炭素を有するものが特に好ましい。例えばメチル、エチル、プロピル、イソプロピル、sec-ブチル、ｔ−ブチル、２−エチルヘキシル、２−メチルスルホニルエチル、３−フェノキシプロピル、トリフルオロメチル、シクロペンチル）、ハロゲン原子（例えば、塩素原子、臭素原子）、アリール基（例えば、フェニル、４−ｔ−ブチルフェニル、２，４−ジ−ｔ−アミルフェニル）、ヘテロ環基（例えば、イミダゾリル、ピラゾリル、トリアゾリル、２−フリル、２−チエニル、２−ピリミジニル、２−ベンゾチアゾリル）、シアノ基、ヒドロキシル基、ニトロ基、カルボキシ基、アミノ基、アルキルオキシ基（例えば、メトキシ、エトキシ、２−メトキシエトキシ、２−メチルスルホニルエトキシ）、アリールオキシ基（例えば、フェノキシ、２−メチルフェノキシ、４−ｔ−ブチルフェノキシ、３−ニトロフェノキシ、３−ｔ−ブチルオキシカルボニルフェノキシ、３−メトキシカルボニルフェニルオキシ、アシルアミノ基（例えば、アセトアミド、ベンズアミド、４−（３−ｔ−ブチル−４−ヒドロキシフェノキシ）ブタンアミド）、アルキルアミノ基（例えば、メチルアミノ、ブチルアミノ、ジエチルアミノ、メチルブチルアミノ）、アリールアミノ基（例えば、フェニルアミノ、２−クロロアニリノ）、ウレイド基（例えば、フェニルウレイド、メチルウレイド、Ｎ，Ｎ−ジブチルウレイド）、スルファモイルアミノ基（例えば、Ｎ，Ｎ−ジプロピルスルファモイルアミノ）、アルキルチオ基（例えば、メチルチオ、オクチルチオ、２−フェノキシエチルチオ）、アリールチオ基（例えば、フェニルチオ、２−ブトキシ−５−ｔ−オクチルフェニルチオ、２−カルボキシフェニルチオ）、アルキルオキシカルボニルアミノ基（例えば、メトキシカルボニルアミノ）、アルキルスルホニルアミノ基及びアリールスルホニルアミノ基（例えば、メチルスルホニルアミノ、フェニルスルホニルアミノ、ｐ−トルエンスルホニルアミノ）、カルバモイル基（例えば、Ｎ−エチルカルバモイル、Ｎ，Ｎ−ジブチルカルバモイル）、スルファモイル基（例えば、Ｎ−エチルスルファモイル、Ｎ，Ｎ−ジプロピルスルファモイル、Ｎ−フェニルスルファモイル）、スルホニル基（例えば、メチルスルホニル、オクチルスルホニル、フェニルスルホニル、ｐ−トルエンスルホニル）、アルキルオキシカルボニル基（例えば、メトキシカルボニル、ブチルオキシカルボニル）、ヘテロ環オキシ基（例えば、１−フェニルテトラゾール−５−オキシ、２−テトラヒドロピラニルオキシ）、アゾ基（例えば、フェニルアゾ、４−メトキシフェニルアゾ、４−ピバロイルアミノフェニルアゾ、２−ヒドロキシ−４−プロパノイルフェニルアゾ）、アシルオキシ基（例えば、アセトキシ）、カルバモイルオキシ基（例えば、Ｎ−メチルカルバモ��ルオキシ、Ｎ−フェニルカルバモイルオキシ）、シリルオキシ基（例えば、トリメチルシリルオキシ、ジブチルメチルシリルオキシ）、アリールオキシカルボニルアミノ基（例えば、フェノキシカルボニルアミノ）、イミド基（例えば、Ｎ−スクシンイミド、Ｎ−フタルイミド）、ヘテロ環チオ基（例えば、２−ベンゾチアゾリルチオ、２，４−ジ−フェノキシ−１，３，５−トリアゾール−６−チオ、２−ピリジルチオ）、スルフィニル基（例えば、３−フェノキシプロピルスルフィニル）、ホスホニル基（例えば、フェノキシホスホニル、オクチルオキシホスホニル、フェニルホスホニル）、アリールオキシカルボニル基（例えば、フェノキシカルボニル）、アシル基（例えば、アセチル、３−フェニルプロパノイル、ベンゾイル）、イオン性親水性基（例えば、カルボキシル基、スルホ基、ホスホノ基及び４級アンモニウム基）が挙げられる。
【００４６】
前記一般式（Ｙ）において、Ｑ、Ｒ、Ｘ、Ｙ、及びＺの好ましい例について、詳細に説明する。
【００４７】
Ｑ、Ｒ、Ｘ、Ｙ及びＺが１価の基を表す場合、１価の基としては、水素原子、又は１価の置換基を表す。１価の置換基を更に詳しく説明する。この１価の置換基の例としては、ハロゲン原子、アルキル基、シクロアルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基（アルキルアミノ基、アリールアミノ基）、アシルアミノ基（アミド基）、アミノカルボニルアミノ基（ウレイド基）、アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、ヘテロ環チオ基、スルファモイル基、アルキルスルフィニル基、アリールスルフィニル基、アルキルスルホニル基、アリールスルホニル基、アシル基、アリールオキシカルボニル基、アルコキシカルボニル基、カルバモイル基、ホスフィノ基、ホスフィニル基、ホスフィニルオキシ基、ホスフィニルアミノ基、シリル基、アゾ基、又はイミド基を挙げることができ、各々はさらに置換基を有していてもよい。
【００４８】
中でも、特に好ましいものは、記録した画像の湿度や酸化性ガス・光等に対する保存性及び良好な色相の点で、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基、アリールスルホニル基、カルバモイル基、又はアルコキシカルボニル基であり、特に水素原子、ハロゲン原子、アルキル基、アリール基、シアノ基、アルキルスルホニル基、アリールスルホニル基、又はヘテロ環基が好ましく、水素原子、アルキル基、アリール基、シアノ基、又はアルキルスルホニル基が最も好ましい。
【００４９】
以下、前記Ｑ、Ｒ、Ｘ、Ｙ、及びＺについて更に詳しく説明する。
Ｑ、Ｒ、Ｘ、Ｙ及びＺで表されるハロゲン原子は、塩素原子、臭素原子、又はヨウ素原子を表す。中でも塩素原子、又は臭素原子が好ましく、特に塩素原子が好ましい。
【００５０】
Ｑ、Ｒ、Ｘ、Ｙ及びＺで表されるアルキル基は、置換もしくは無置換のアルキル基が含まれる。置換又は無置換のアルキル基は、炭素原子数が１〜３０のアルキル基が好ましい。置換基の例としては、上記Ｇが更に置換基を有することが可能な基であるときに挙げたような置換基と同じものが挙げられる。中でも、ヒドロキシ基、アルコキシ基、シアノ基、及びハロゲン原子、スルホ基(塩の形でもよい) 又はカルボキシル基(塩の形でもよい)が好ましい。前記アルキル基の例には、メチル、エチル、ブチル、ｔ−ブチル、ｎ−オクチル、エイコシル、２−クロロエチル、ヒドロキシエチル、シアノエチル又は４−スルホブチルを挙げることができる。
【００５１】
Ｑ、Ｒ、Ｘ、Ｙ及びＺで表されるシクロアルキル基は、置換もしくは無置換のシクロアルキル基が含まれる。置換基又は無置換のシクロアルキル基は、炭素原子数が５〜３０のシクロアルキル基が好ましい。置換基の例としては、上記Ｇが更に置換基を有することが可能な基であるときに挙げたような置換基と同じものが挙げられる。前記シクロアルキル基の例にはシクロヘキシル、シクロペンチル、又は４−ｎ−ドデシルシクロヘキシルを挙げることができる。
【００５２】
Ｑ、Ｒ、Ｘ、Ｙ及びＺで表されるアラルキル基は、置換もしくは無置換のアラルキル基が含まれる。置換もしくは無置換のアラルキル基としては、炭素原子数が７〜３０のアラルキル基が好ましい。置換基の例としては、上記Ｇが更に置換基を有することが可能な基であるときに挙げたような置換基と同じものが挙げられる。前記アラルキルの例にはベンジル及び２−フェネチルを挙げることができる。
【００５３】
Ｑ、Ｒ、Ｘ、Ｙ及びＺで表されるアルケニル基は、直鎖、分岐、環状の置換もしくは無置換のアルケニル基を表す。好ましくは炭素数２−３０の置換又は無置換のアルケニル基、例えば、ビニル、アリル、プレニル、ゲラニル、オレイル、２−シクロペンテンー１−イル、２−シクロヘキセンー１−イルなどを挙げることができる。
【００５４】
Ｑ、Ｒ、Ｘ、Ｙ及びＺで表されるアルキニル基は、炭素数２〜３０の置換又は無置換のアルキニル基であり、例えば、エチニル、又はプロパルギルを挙げることができる。
【００５５】
Ｑ、Ｒ、Ｘ、Ｙ及びＺで表されるアリール基は、炭素数６〜３０の置換もしくは無置換のアリール基、例えばフェニル、ｐ−トリル、ナフチル、ｍ−クロロフェニル、又はｏ−ヘキサデカノイルアミノフェニルである。置換基の例としては、上記Ｇが更に置換基を有することが可能な基であるときに挙げたような置換基と同じものが挙げられる。
【００５６】
Ｑ、Ｒ、Ｘ、Ｙ及びＺで表されるヘテロ環基は、５又は６員の置換もしくは無置換の、芳香族もしくは非芳香族のヘテロ環化合物から一個の水素原子を取り除いた１価の基であり、それらは更に縮環していてもよい。更に好ましくは、炭素数３〜３０の５もしくは６員の芳香族のヘテロ環基である。置換基の例としては、上記Ｇが更に置換基を有することが可能な基であるときに挙げたような置換基と同じものが挙げられる。前記ヘテロ環基の例には、置換位置を限定しないで例示すると、ピリジン、ピラジン、ピリダジン、ピリミジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。
【００５７】
Ｑ、Ｒ、Ｘ、Ｙ及びＺで表されるアルコキシ基は、置換もしくは無置換のアルコキシ基が含まれる。置換もしくは無置換のアルコキシ基としては、炭素原子数が１〜３０のアルコキシ基が好ましい。置換基の例としては、上記Ｇが更に置換基を有することが可能な基であるときに挙げたような置換基と同じものが挙げられる。前記アルコキシ基の例には、メトキシ、エトキシ、イソプロポキシ、ｎ−オクチルオキシ、メトキシエトキシ、ヒドロキシエトキシ及び３−カルボキシプロポキシなどを挙げることができる。
【００５８】
Ｑ、Ｒ、Ｘ、Ｙ及びＺで表されるアリールオキシ基は、炭素数６〜３０の置換もしくは無置換のアリールオキシ基が好ましい。置換基の例としては、上記Ｇが更に置換基を有することが可能な基であるときに挙げたような置換基と同じものが挙げられる。前記アリールオキシ基の例には、フェノキシ、２−メチルフェノキシ、４−ｔ−ブチルフェノキシ、３−ニトロフェノキシ、２−テトラデカノイルアミノフェノキシなどを挙げることができる。
【００５９】
Ｑ、Ｒ、Ｘ、Ｙ及びＺで表されるシリルオキシ基は、炭素数３〜２０のシリルオキシ基が好ましく、例えば、トリメチルシリルオキシ、ｔ−ブチルジメチルシリルオキシなどを挙げることができる。
【００６０】
Ｑ、Ｒ、Ｘ、Ｙ及びＺで表されるヘテロ環オキシ基は、炭素数２〜３０の置換もしくは無置換のヘテロ環オキシ基が好ましい。置換基の例としては、上記Ｇが更に置換基を有することが可能な基であるときに挙げたような置換基と同じものが挙げられる。前記ヘテロ環オキシ基の例には、例えば、１−フェニルテトラゾール−５−オキシ、２−テトラヒドロピラニルオキシなどを挙げることができる。
【００６１】
Ｑ、Ｒ、Ｘ、Ｙ及びＺで表されるアシルオキシ基は、ホルミルオキシ基、炭素数２〜３０の置換もしくは無置換のアルキルカルボニルオキシ基、炭素数６〜３０の置換もしくは無置換のアリールカルボニルオキシ基が好ましく、置換基の例としては、上記Ｇが更に置換基を有することが可能な基であるときに挙げたような置換基と同じものが挙げられる。前記アシルオキシ基の例には、例えば、ホルミルオキシ、アセチルオキシ、ピバロイルオキシ、ステアロイルオキシ、ベンゾイルオキシ、ｐ−メトキシフェニルカルボニルオキシなどを挙げることができる。
【００６２】
Ｑ、Ｒ、Ｘ、Ｙ及びＺで表されるカルバモイルオキシ基は、炭素数１〜３０の置換もしくは無置換のカルバモイルオキシ基が好ましく、置換基の例としては、上記Ｇが更に置換基を有することが可能な基であるときに挙げたような置換基と同じものが挙げられる。
前記カルバモイルオキシ基の例には、例えば、Ｎ，Ｎ−ジメチルカルバモイルオキシ、Ｎ，Ｎ−ジエチルカルバモイルオキシ、モルホリノカルボニルオキシ、Ｎ，Ｎ−ジ−ｎ−オクチルアミノカルボニルオキシ、Ｎ−ｎ−オクチルカルバモイルオキシなどを挙げることができる。
【００６３】
Ｑ、Ｒ、Ｘ、Ｙ及びＺで表されるアルコキシカルボニルオキシ基は、炭素数２〜３０の置換もしくは無置換アルコキシカルボニルオキシ基が好ましく、置換基の例としては、上記Ｇが更に置換基を有することが可能な基であるときに挙げたような置換基と同じものが挙げられる。前記アルコキシカルボニルオキシ基の例には、例えばメトキシカルボニルオキシ、エトキシカルボニルオキシ、ｔ−ブトキシカルボニルオキシ、ｎ−オクチルカルボニルオキシなどを挙げることができる。
【００６４】
Ｑ、Ｒ、Ｘ、Ｙ及びＺで表されるアリールオキシカルボニルオキシ基は、炭素数７〜３０の置換もしくは無置換のアリールオキシカルボニルオキシ基が好ましく、置換基の例としては、上記Ｇが更に置換基を有することが可能な基であるときに挙げたような置換基と同じものが挙げられる。前記アリールオキシカルボニルオキシ基の例には、例えば、フェノキシカルボニルオキシ、ｐ−メトキシフェノキシカルボニルオキシ、ｐ−ｎ−ヘキサデシルオキシフェノキシカルボニルオキシなどを挙げることができる。
【００６５】
Ｑ、Ｒ、Ｘ、Ｙ及びＺで表されるアミノ基は、炭素数１〜３０の置換もしくは無置換のアルキルアミノ基、炭素数６〜３０の置換もしくは無置換のアリールアミノ基が好ましく、置換基の例としては、上記Ｇが更に置換基を有することが可能な基であるときに挙げたような置換基と同じものが挙げられる。前記アミノ基の例には、例えば、アミノ、メチルアミノ、ジメチルアミノ、アニリノ、Ｎ-メチル−アニリノ、ジフェニルアミノ、ヒドロキシエチルアミノ、カルボキシエチルアミノ、スルフォエチルアミノ、３，５−ジカルボキシアニリノなどを挙げることができる。
【００６６】
Ｑ、Ｒ、Ｘ、Ｙ及びＺで表されるアシルアミノ基は、ホルミルアミノ基、炭素数１〜３０の置換もしくは無置換のアルキルカルボニルアミノ基、炭素数６〜３０の置換もしくは無置換のアリールカルボニルアミノ基が好ましく、置換基の例としては、上記Ｇが更に置換基を有することが可能な基であるときに挙げたような置換基と同じものが挙げられる。前記アシルアミノ基の例には、例えば、ホルミルアミノ、アセチルアミノ、ピバロイルアミノ、ラウロイルアミノ、ベンゾイルアミノ、３，４，５−トリ−ｎ−オクチルオキシフェニルカルボニルアミノなどを挙げることができる。
【００６７】
Ｑ、Ｒ、Ｘ、Ｙ及びＺで表されるアミノカルボニルアミノ基は、炭素数１〜３０の置換もしくは無置換のアミノカルボニルアミノ基が好ましく、置換基の例としては、上記Ｇが更に置換基を有することが可能な基であるときに挙げたような置換基と同じものが挙げられる。前記アミノカルボニルアミノ基の例には、例えば、カルバモイルアミノ、Ｎ，Ｎ−ジメチルアミノカルボニルアミノ、Ｎ，Ｎ−ジエチルアミノカルボニルアミノ、モルホリノカルボニルアミノなどを挙げることができる。
【００６８】
Ｑ、Ｒ、Ｘ、Ｙ及びＺで表されるアルコキシカルボニルアミノ基は、炭素数２〜３０の置換もしくは無置換アルコキシカルボニルアミノ基が好ましく、置換基の例としては、上記Ｇが更に置換基を有することが可能な基であるときに挙げたような置換基と同じものが挙げられる。前記アルコキシカルボニルアミノ基の例には、例えば、メトキシカルボニルアミノ、エトキシカルボニルアミノ、ｔ−ブトキシカルボニルアミノ、ｎ−オクタデシルオキシカルボニルアミノ、Ｎ−メチルーメトキシカルボニルアミノなどを挙げることができる。
【００６９】
Ｑ、Ｒ、Ｘ、Ｙ及びＺで表されるアリールオキシカルボニルアミノ基は、炭素数７〜３０の置換もしくは無置換のアリールオキシカルボニルアミノ基が好ましく、置換基の例としては、上記Ｇが更に置換基を有することが可能な基であるときに挙げたような置換基と同じものが挙げられる。前記アリールオキシカルボニルアミノ基の例には、例えば、フェノキシカルボニルアミノ、ｐ−クロロフェノキシカルボニルアミノ、ｍ−ｎ−オクチルオキシフェノキシカルボニルアミノなどを挙げることができる。
【００７０】
Ｑ、Ｒ、Ｘ、Ｙ及びＺで表されるスルファモイルアミノ基は、炭素数０〜３０の置換もしくは無置換のスルファモイルアミノ基が好ましく、置換基の例としては、上記Ｇが更に置換基を有することが可能な基であるときに挙げたような置換基と同じものが挙げられる。前記スルファモイルアミノ基の例には、例えば、スルファモイルアミノ、Ｎ，Ｎ−ジメチルアミノスルホニルアミノ、Ｎ−ｎ−オクチルアミノスルホニルアミノなどを挙げることができる。
【００７１】
Ｑ、Ｒ、Ｘ、Ｙ及びＺで表されるアルキル及びアリールスルホニルアミノ基は、炭素数１〜３０の置換もしくは無置換のアルキルスルホニルアミノ基、炭素数６〜３０の置換もしくは無置換のアリールスルホニルアミノ基が好ましく、置換基の例としては、上記Ｇが更に置換基を有することが可能な基であるときに挙げたような置換基と同じものが挙げられる。前記アルキルスルホニルアミノ基及びアリールスルホニルアミノ基の例には、例えば、メチルスルホニルアミノ、ブチルスルホニルアミノ、フェニルスルホニルアミノ、２，３，５−トリクロロフェニルスルホニルアミノ、ｐ−メチルフェニルスルホニルアミノなどを挙げることができる。
【００７２】
Ｑ、Ｒ、Ｘ、Ｙ及びＺで表されるアルキルチオ基は、炭素数１〜３０の置換もしくは無置換のアルキルチオ基が好ましく、置換基の例としては、上記Ｇが更に置換基を有することが可能な基であるときに挙げたような置換基と同じものが挙げられる。前記アルキルチオ基の例には、例えばメチルチオ、エチルチオ、ｎ−ヘキサデシルチオなどを挙げることができる。
【００７３】
Ｑ、Ｒ、Ｘ、Ｙ及びＺで表されるアリールチオ基は炭素数６〜３０の置換もしくは無置換のアリールチオ基が好ましく、置換基の例としては、上記Ｇが更に置換基を有することが可能な基であるときに挙げたような置換基と同じものが挙げられる。前記アリールチオ基の例には、例えば、フェニルチオ、ｐ−クロロフェニルチオ、ｍ−メトキシフェニルチオなどを挙げることができる。
【００７４】
Ｑ、Ｒ、Ｘ、Ｙ及びＺで表されるヘテロ環チオ基は、炭素数２〜３０の置換又は無置換のヘテロ環チオ基が好ましく、置換基の例としては、上記Ｇが更に置換基を有することが可能な基であるときに挙げたような置換基と同じものが挙げられる。前記ヘテロ環チオ基の例には、例えば、２−ベンゾチアゾリルチオ、１−フェニルテトラゾール−５−イルチオなどを挙げることができる。
【００７５】
Ｑ、Ｒ、Ｘ、Ｙ及びＺで表されるスルファモイル基は、炭素数０〜３０の置換もしくは無置換のスルファモイル基が好ましく、置換基の例としては、上記Ｇが更に置換基を有することが可能な基であるときに挙げたような置換基と同じものが挙げられる。前記スルファモイル基の例には、例えば、Ｎ−エチルスルファモイル、Ｎ−（３−ドデシルオキシプロピル）スルファモイル、Ｎ，Ｎ−ジメチルスルファモイル、Ｎ−アセチルスルファモイル、Ｎ−ベンゾイルスルファモイル、Ｎ−（Ｎ‘−フェニルカルバモイル）スルファモイル）などを挙げることができる。
【００７６】
Ｑ、Ｒ、Ｘ、Ｙ及びＺで表されるアルキル及びアリールスルフィニル基は、炭素数１〜３０の置換又は無置換のアルキルスルフィニル基、６〜３０の置換又は無置換のアリールスルフィニル基が好ましく、置換基の例としては、上記Ｇが更に置換基を有することが可能な基であるときに挙げたような置換基と同じものが挙げられる。前記アルキル及びアリールスルフィニル基の例には、例えば、メチルスルフィニル、エチルスルフィニル、フェニルスルフィニル、ｐ−メチルフェニルスルフィニルなどを挙げることができる。
【００７７】
Ｑ、Ｒ、Ｘ、Ｙ及びＺで表されるアルキル及びアリールスルホニル基は、炭素数１〜３０の置換又は無置換のアルキルスルホニル基、６〜３０の置換又は無置換のアリールスルホニル基が好ましく、置換基の例としては、上記Ｇが更に置換基を有することが可能な基であるときに挙げたような置換基と同じものが挙げられる。前記アルキル及びアリールスルホニル基の例には、例えば、メチルスルホニル、エチルスルホニル、フェニルスルホニル、ｐ−トルエンスルホニルなどを挙げることができる。
【００７８】
Ｑ、Ｒ、Ｘ、Ｙ及びＺで表されるアシル基は、ホルミル基、炭素数２〜３０の置換又は無置換のアルキルカルボニル基、炭素数７〜３０の置換もしくは無置換のアリールカルボニル基、炭素数４〜３０の置換もしくは無置換の炭素原子でカルボニル基と結合しているヘテロ環カルボニル基が好ましく、置換基の例としては、上記Ｇが更に置換基を有することが可能な基であるときに挙げたような置換基と同じものが挙げられる。前記アシル基の例には、例えば、アセチル、ピバロイル、２−クロロアセチル、ステアロイル、ベンゾイル、ｐ−ｎ−オクチルオキシフェニルカルボニル、２―ピリジルカルボニル、２―フリルカルボニルなどを挙げることができる。
【００７９】
Ｑ、Ｒ、Ｘ、Ｙ及びＺで表されるアリールオキシカルボニル基は、炭素数７〜３０の置換もしくは無置換のアリールオキシカルボニル基が好ましく、置換基の例としては、上記Ｇが更に置換基を有することが可能な基であるときに挙げたような置換基と同じものが挙げられる。前記アリールオキシカルボニル基の例には、例えば、フェノキシカルボニル、ｏ−クロロフェノキシカルボニル、ｍ−ニトロフェノキシカルボニル、ｐ−ｔ−ブチルフェノキシカルボニルなどを挙げることができる。
【００８０】
Ｑ、Ｒ、Ｘ、Ｙ及びＺで表されるアルコキシカルボニル基は、炭素数２〜３０の置換もしくは無置換アルコキシカルボニル基が好ましく、置換基の例としては、上記Ｇが更に置換基を有することが可能な基であるときに挙げたような置換基と同じものが挙げられる。前記アルコキシカルボニル基の例には、例えば、メトキシカルボニル、エトキシカルボニル、ｔ−ブトキシカルボニル、ｎ−オクタデシルオキシカルボニルなどを挙げることができる。
【００８１】
Ｑ、Ｒ、Ｘ、Ｙ及びＺで表されるカルバモイル基は、炭素数１〜３０の置換もしくは無置換のカルバモイル基が好ましく、置換基の例としては、上記Ｇが更に置換基を有することが可能な基であるときに挙げたような置換基と同じものが挙げられる。前記カルバモイル基の例には、例えば、カルバモイル、Ｎ−メチルカルバモイル、Ｎ，Ｎ−ジメチルカルバモイル、Ｎ，Ｎ−ジ−ｎ−オクチルカルバモイル、Ｎ−（メチルスルホニル）カルバモイルなどを挙げることができる。
【００８２】
Ｑ、Ｒ、Ｘ、Ｙ及びＺで表されるホスフィノ基は、炭素数２〜３０の置換もしくは無置換のホスフィノ基が好ましく、置換基の例としては、上記Ｇが更に置換基を有することが可能な基であるときに挙げたような置換基と同じものが挙げられる。前記ホスフィノ基の例には、例えば、ジメチルホスフィノ、ジフェニルホスフィノ、メチルフェノキシホスフィノなどを挙げることができる。
【００８３】
Ｑ、Ｒ、Ｘ、Ｙ及びＺで表されるホスフィニル基は、炭素数２〜３０の置換もしくは無置換のホスフィニル基が好ましく、置換基の例としては、上記Ｇが更に置換基を有することが可能な基であるときに挙げたような置換基と同じものが挙げられる。前記ホスフィニル基の例には、例えば、ホスフィニル、ジオクチルオキシホスフィニル、ジエトキシホスフィニルなどを挙げることができる。
【００８４】
Ｑ、Ｒ、Ｘ、Ｙ及びＺで表されるホスフィニルオキシ基は、炭素数２〜３０の置換もしくは無置換のホスフィニルオキシ基が好ましく、置換基の例としては、上記Ｇが更に置換基を有することが可能な基であるときに挙げたような置換基と同じものが挙げられる。前記ホスフィニルオキシ基の例には、例えば、ジフェノキシホスフィニルオキシ、ジオクチルオキシホスフィニルオキシなどを挙げることができる。
【００８５】
Ｑ、Ｒ、Ｘ、Ｙ及びＺで表されるホスフィニルアミノ基は、炭素数２〜３０の置換もしくは無置換のホスフィニルアミノ基が好ましく、置換基の例としては、上記Ｇが更に置換基を有することが可能な基であるときに挙げたような置換基と同じものが挙げられる。前記ホスフィニルアミノ基の例には、例えば、ジメトキシホスフィニルアミノ、ジメチルアミノホスフィニルアミノなどを挙げることができる。
【００８６】
Ｑ、Ｒ、Ｘ、Ｙ及びＺで表されるシリル基は、炭素数３〜３０の置換もしくは無置換のシリル基が好ましく、置換基の例としては、上記Ｇが更に置換基を有することが可能な基であるときに挙げたような置換基と同じものが挙げられる。前記シリル基の例には、例えば、トリメチルシリル、ｔ−ブチルジメチルシリル、フェニルジメチルシリルなどを挙げることができる。
【００８７】
Ｑ、Ｒ、Ｘ、Ｙ及びＺで表されるアゾ基は、例えば、フェニルアゾ、４−メトキシフェニルアゾ、４−ピバロイルアミノフェニルアゾ、２−ヒドロキシ−４−プロパノイルフェニルアゾなどを挙げることができる。
【００８８】
Ｑ、Ｒ、Ｘ、Ｙ及びＺで表されるイミド基は、例えば、Ｎ−スクシンイミド、Ｎ−フタルイミドなどを挙げることができる。
【００８９】
Ｑ、Ｒ、Ｘ、Ｙ及びＺが２価の基を表す場合、２価の基としては、アルキレン基（例、メチレン、エチレン、プロピレン、ブチレン、ペンチレン）、アルケニレン基（例、エテニレン、プロぺニレン）、アルキニレン基（例、エチニレン、プロピニレン）、アリーレン基（例、フェニレン、ナフチレン）、２価のヘテロ環基（例、６−クロロ−１、３、５−トリアジン−２、４−ジイル基、ピリミジン−２、４−ジイル基、ピリミジン−４、６−ジイル基、キノキサリン−２、３−ジイル基、ピリダジン−３，６−ジイル）、−Ｏ−、−ＣＯ−、−ＮＲ’−（Ｒ’は水素原子、アルキル基又はアリール基）、−Ｓ−、−ＳＯ２−、−ＳＯ−又はこれらの組み合わせ（例えば−ＮＨＣＨ２ＣＨ２ＮＨ−、−ＮＨＣＯＮＨ−等）であることが好ましい。
【００９０】
アルキレン基、アルケニレン基、アルキニレン基、アリーレン基、２価のヘテロ環基、Ｒのアルキル基又はアリール基は、置換基を有していてもよい。置換基の例としては、前記Ｇで説明した置換基と同義である。
【００９１】
前記Ｒ’のアルキル基及びアリール基は、前記Ｇの置換基例と同義である。
【００９２】
さらに好ましくは、炭素数１０以下のアルキレン基、炭素数１０以下のアルケニレン基、炭素数１０以下のアルキニレン基、炭素数６以上１０以下のアリーレン基、２価のヘテロ環基、−Ｓ−、−ＳＯ−、−ＳＯ２−又はこれらの組み合わせ（例えば−ＳＣＨ２ＣＨ２Ｓ−、−ＳＣＨ２ＣＨ２ＣＨ２Ｓ−等）であることがさらに好ましい。
【００９３】
２価の連結基の総炭素数は０〜５０であることが好ましく、０〜３０であることがより好ましく、０〜１０であることが最も好ましい。
【００９４】
Ｑ、Ｒ、Ｘ、Ｙ及びＺが３価の基を表す場合、３価の基としては、３価の炭化水素基、３価のヘテロ環基、＞Ｎ−、又はこれと２価の基の組み合わせ（例えば＞ＮＣＨ２ＣＨ２ＮＨ−、＞ＮＣＯＮＨ−等）であることが好ましい。
【００９５】
３価の連結基の総炭素数は０〜５０であることが好ましく、０〜３０であることがより好ましく、０〜１０であることが最も好ましい。
【００９６】
一般式（Ｙ）中、ｎの好ましい例は、１又は２であり、特に２が好ましい。
【００９７】
一般式（Ｙ）中、Ｘの好ましい置換基例は電子吸引性基である。特に、ハメットの置換基定数σｐ値が０．２０以上の電子吸引性基であり、より好ましくはσｐ値が０．３０以上の電子吸引性基であることが好ましい。上限としては、σｐ値が１．０の電子吸引性基である。
【００９８】
σｐ値が０．２０以上の電子吸引性基であるＸの具体例としては、アシル基、アシルオキシ基、カルバモイル基、アルキルオキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、σｐ値が０．２０以上の他の電子吸引性基で置換されたアリール基、ヘテロ環基、ハロゲン原子、アゾ基、又はセレノシアネート基が挙げられる。
【００９９】
Ｘの好ましいものとしては、炭素数２〜１２のアシル基、炭素数２〜１２のアシルオキシ基、炭素数１〜１２のカルバモイル基、炭素数２〜１２のアルキルオキシカルボニル基、炭素数７〜１８のアリールオキシカルボニル基、シアノ基、ニトロ基、炭素数１〜１２のアルキルスルフィニル基、炭素数６〜１８のアリールスルフィニル基、炭素数１〜１２のアルキルスルホニル基、炭素数６〜１８のアリールスルホニル基、炭素数０〜１２のスルファモイル基、炭素数１〜１２のハロゲン化アルキル基、炭素数１〜１２のハロゲン化アルキルオキシ基、炭素数１〜１２のハロゲン化アルキルチオ基、炭素数７〜１８のハロゲン化アリールオキシ基、２つ以上のσｐ０．２０以上の他の電子吸引性基で置換された炭素数７〜１８のアリール基、及び窒素原子、酸素原子、又はイオウ原子を有する５〜８員環で炭素数１〜１８のヘテロ環基を挙げることができる。
【０１００】
更に好ましくは、シアノ基、炭素数１〜１２のアルキルスルホニル基、炭素数６〜１８のアリールスルホニル基、又は炭素数０〜１２のスルファモイル基である。
【０１０１】
Ｘとして特に好ましいものは、シアノ基、炭素数１〜１２のアルキルスルホニル基、又は炭素数０〜１２のスルファモイル基であり、最も好ましいものは、シアノ基、又は炭素数１〜１２のアルキルスルホニル基である。
【０１０２】
一般式（Ｙ）中、Ｚの好ましい例は、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、又は置換もしくは無置換のヘテロ環基などである。
Ｚで表される基の詳細については、前記Ｇで表されるヘテロ環基の例に説明した対応する置換基の例と同義であり、好ましい例も同じである。
【０１０３】
Ｚの特に好ましくは、置換アリール基、又は置換へテロ環基であり、その中でも特に置換アリール基が好ましい。
【０１０４】
一般式（Ｙ）中、Ｑは、水素原子、置換もしくは無置換のアルキル基、置換もしくは無置換のアシル基、置換もしくは無置換のアルキルスルホニル基、又は置換もしくは無置換のアリールスルホニル基が好ましく、特に水素原子、置換もしくは無置換のアルキル基、又は置換もしくは無置換のアシル基が好ましく、その中でも特に水素原子が好ましい。
【０１０５】
一般式（Ｙ）中、Ｒは置換もしくは無置換の総炭素数１〜１２のアルキル基、置換もしくは無置換の総炭素数６〜１８のアリール基、又は置換もしくは無置換の総炭素数４〜１２のヘテロ環基が好ましく、その中でも、総炭素原子数１〜８の直鎖アルキル基又は分岐のアルキル基が好ましく、特に２級又は３級アルキル基が好ましく、ｔ−ブチル基が最も好ましい。
【０１０６】
一般式（Ｙ）中、Ｙは水素原子、置換もしくは無置換の総炭素数１〜１２のアルキル基、置換もしくは無置換の総炭素数６〜１８のアリール基、又は置換もしくは無置換の総炭素数４〜１２ヘテロ環基が好ましく、その中でも、水素原子、総炭素数１〜８の直鎖アルキル基及び又は分岐のアルキル基が好ましく、特に水素原子、又は総炭素数１〜８のアルキル基が好ましく、水素原子が最も好ましい。
【０１０７】
一般式（Ｙ）で表される色素におけるＧ，Ｒ，Ｘ，Ｙ，Ｚ，Ｑの好ましい組み合わせについては、種々の基の少なくとも１つが前記の好ましい基である化合物が好ましく、より多くの種々の基が前記好ましい基である化合物がより好ましく、全ての基が前記好ましい基である化合物が最も好ましい。
【０１０８】
一般式（Ｙ）で表される色素として特に好ましい組み合わせは、以下の（イ）〜（ト）を含むものである。
【０１０９】
（イ）Ｇは、５〜８員含窒素ヘテロ環が好ましく、特にＳ-トリアジン環、ピリミジン環、ピリダジン環、ピラジン環、ピリジン環、イミダゾール環、ピラゾール環、又はピロール環が好ましく、その中でもＳ-トリアジン環、ピリミジン環、ピリダジン環、又はピラジン環が好ましく、Ｓ-トリアジン環が最も好ましい。
（ロ）Ｒは置換もしくは無置換の総炭素数１〜１２のアルキル基、置換もしくは無置換の総炭素数６〜１８のアリール基、又は置換もしくは無置換の総炭素数４〜１２ヘテロ環基が好ましく、その中でも、総炭素数１〜８の直鎖アルキル基又は分岐のアルキル基が好ましく、特に２級又は３級アルキル基が好ましく、ｔ−ブチル基が最も好ましい。
（ハ）Ｘとして特に好ましいものは、シアノ基、総炭素数１〜１２のアルキルスルホニル基、総炭素数６〜１８のアリールスルホニル基、又は総炭素数０〜１２のスルファモイル基であり、その中でも、シアノ基、又は総炭素数１〜１２のアルキルスルホニル基が好ましく、最も好ましいものは、シアノ基である。
（ニ）Ｙは水素原子、置換もしくは無置換の総炭素数１〜１２のアルキル基、置換もしくは無置換の総炭素数６〜１８のアリール基、又は置換もしくは無置換の総炭素数４〜１２ヘテロ環基が好ましく、その中でも、水素原子、総炭素数１〜８の直鎖アルキル基又は分岐のアルキル基が好ましく、特に水素原子、又は総炭素数１〜８のアルキル基が好ましく、水素原子が最も好ましい。
（ホ）Ｚは、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、又は置換もしくは無置換のヘテロ環基が好ましく、特に好ましい置換基は置換アリール基、又は置換へテロ環基であり、その中でも特に置換アリール基が好ましい。
（ヘ）Ｑは、水素原子、置換もしくは無置換のアルキル基、置換もしくは無置換のアシル基、置換もしくは無置換のアルキルスルホニル基、又は置換もしくは無置換のアリールスルホニル基が好ましく、特に水素原子、置換もしくは無置換のアルキル基、又は置換もしくは無置換のアシル基が好ましく、その中でも特に水素原子が好ましい。
（ト）ｎは１〜３の整数を表し、好ましくは１又は２であり、特に２が最も好ましい。
【０１１０】
前記一般式（Ｙ）で表される化合物は、下記の一般式（Ｙ−１）、一般式（Ｙ−２）、一般式（Ｙ−３）、一般式（Ｙ−４）、及び一般式（Ｙ−５）のいずれかで表される化合物であることが好ましい。
【０１１１】
【化１２】
2010077224.tif 000013
【０１１２】
式中、Ｒ１、Ｒ２、Ｘ１、Ｘ２、Ｙ１、Ｙ２、Ｚ１、及びＺ２は１価の基を表し、Ｇは５〜８員含窒素ヘテロ環を構成する原子団を表し、Ｍは水素原子又はカチオンを表す。ｍ１は０〜３の整数を表す。
Ｇの例としては、前述の一般式（Ｙ）におけるＧと同様のものが挙げられ、Ｒ１、Ｒ２、Ｘ１、Ｘ２、Ｙ１、Ｙ２、Ｚ１、及びＺ２の表す１価の基の例としては、前述の一般式（Ｙ）におけるＱ、Ｒ、Ｘ、Ｙ、及びＺと同様のものが挙げられる。
【０１１３】
【化１３】
2010077224.tif 000014
【０１１４】
式中、Ｒ１、Ｒ２、Ｒ１１、Ｒ１２、Ｘ１、Ｘ２、Ｚ１、及びＺ２は１価の基を表し、Ｌ１は２価の連結基を表し、Ｇ１、Ｇ２はそれぞれ独立に５〜８員含窒素ヘテロ環を構成する原子団を表し、Ｍは水素原子又はカチオンを表す。ｍ２１、ｍ２２は、それぞれ独立に０〜３の整数を表す。
Ｇ１、Ｇ２の例としては、前述の一般式（Ｙ）におけるＧと同様のものが挙げられ、Ｒ１、Ｒ２、Ｒ１１、Ｒ１２、Ｘ１、Ｘ２、Ｚ１、及びＺ２の表す１価の基の例としては、前述の一般式（Ｙ）におけるＱ、Ｒ、Ｘ、Ｙ、及びＺと同様のものが挙げられ、Ｌ１の表す２価の連結基の例としては、前述の一般式（Ｙ）におけるＱ、Ｒ、Ｘ、Ｙ、及びＺが２価の基を表す場合の例と同様のものが挙げられる。
【０１１５】
【化１４】
2010077224.tif 000015
【０１１６】
式中、Ｒ１、Ｒ２、Ｒ１１、Ｒ１２、Ｘ１、Ｘ２、Ｙ１、及びＹ２は１価の基を表し、Ｌ２は２価の連結基を表し、Ｇ１、Ｇ２はそれぞれ独立に５〜８員含窒素ヘテロ環を構成する原子団を表し、Ｍは水素原子又はカチオンを表す。ｍ３１、ｍ３２は、それぞれ独立に０〜３の整数を表す。
Ｇ１、Ｇ２の例としては、前述の一般式（Ｙ）におけるＧと同様のものが挙げられ、Ｒ１、Ｒ２、Ｒ１１、Ｒ１２、Ｘ１、Ｘ２、Ｙ１、及びＹ２の表す１価の基の例としては、前述の一般式（Ｙ）におけるＱ、Ｒ、Ｘ、Ｙ、及びＺと同様のものが挙げられ、Ｌ2の表す２価の連結基の例としては、前述の一般式（Ｙ）におけるＱ、Ｒ、Ｘ、Ｙ、及びＺが２価の基を表す場合の例と同様のものが挙げられる。
【０１１７】
【化１５】
2010077224.tif 000016
【０１１８】
式中、Ｒ１１、Ｒ１２、Ｘ１、Ｘ２、Ｙ１、Ｙ２、Ｚ１、及びＺ２は１価の基を表し、Ｌ３は２価の連結基を表し、Ｇ１、Ｇ２はそれぞれ独立に５〜８員含窒素ヘテロ環を構成する原子団を表し、Ｍは水素原子又はカチオンを表す。ｍ４１、ｍ４２は、それぞれ独立に０〜３の整数を表す。
Ｇ１、Ｇ２の例としては、前述の一般式（Ｙ）におけるＧと同様のものが挙げられ、Ｒ１１、Ｒ１２、Ｘ１、Ｘ２、Ｙ１、Ｙ２、Ｚ１、及びＺ２の表す１価の基の例としては、前述の一般式（Ｙ）におけるＱ、Ｒ、Ｘ、Ｙ、及びＺと同様のものが挙げられ、Ｌ3の表す２価の連結基の例としては、前述の一般式（Ｙ）におけるＱ、Ｒ、Ｘ、Ｙ、及びＺが２価の基を表す場合の例と同様のものが挙げられる。
【０１１９】
【化１６】
2010077224.tif 000017
【０１２０】
式中、Ｒ１、Ｒ２、Ｒ１１、Ｒ１２、Ｙ１、Ｙ２、Ｚ１、及びＺ２は１価の基を表し、Ｌ４は２価の連結基を表し、Ｇ１、Ｇ２はそれぞれ独立に５〜８員含窒素ヘテロ環を構成する原子団を表し、Ｍは水素原子又はカチオンを表す。ｍ５１、ｍ５２は、それぞれ独立に０〜３の整数を表す。
Ｇ１、Ｇ２の例としては、前述の一般式（Ｙ）におけるＧと同様のものが挙げられ、Ｒ１、Ｒ２、Ｒ１１、Ｒ１２、Ｙ１、Ｙ２、Ｚ１、及びＺ２の表す１価の基の例としては、前述の一般式（Ｙ）におけるＱ、Ｒ、Ｘ、Ｙ、及びＺと同様のものが挙げられ、Ｌ4の表す２価の連結基の例としては、前述の一般式（Ｙ）におけるＱ、Ｒ、Ｘ、Ｙ、及びＺが２価の基を表す場合の例と同様のものが挙げられる。
【０１２１】
一般式（Ｙ）で表される化合物は、下記一般式（Ｙ−１）、一般式（Ｙ−２）、一般式（Ｙ−３）、一般式（Ｙ−４）又は一般式（Ｙ−５）中、Ｇ、Ｇ１及びＧ２で構成される含窒素ヘテロ環がＳ−トリアジン環であることが好ましい。
【０１２２】
以下、一般式（Ｙ）で表される化合物で表される染料の具体例（例示染料ＤＹＥ−１〜２６）を示す。但し、本発明に用いられる染料は、下記例に限定されるものではない。また、以下の具体例の構造は遊離の酸の形で示すが、任意の塩の形で用いてもよい。また、好ましいカウンターカチオンとしては、アルカリ金属（例えば、リチウム、ナトリウム、カリウム）、アンモニウム、又は有機のカチオン（例えば、ピリジニウム、テトラメチルアンモニウム、グアニジウム）を挙げることができる。
【０１２３】
【化１７】
2010077224.tif 000018
【０１２４】
【化１８】
2010077224.tif 000019
【０１２５】
【化１９】
2010077224.tif 000020
【０１２６】
【化２０】
2010077224.tif 000021
【０１２７】
【化２１】
2010077224.tif 000022
【０１２８】
【化２２】
2010077224.tif 000023
【０１２９】
【化２３】
2010077224.tif 000024
【０１３０】
【化２４】
2010077224.tif 000025
【０１３１】
【化２５】
2010077224.tif 000026
【０１３２】
上記の一般式（Ｙ）で表される化合物及びその塩の合成は、例えば、特開２００１−２７９１４５号、特開２００３−２７７６６１号、特開２００３−２７７６６２号、特開２００４−８３９０３号等の各公報に記載の合成法を参照して行なうことができる。
【０１３３】
本発明のイエローインクは、染料として、前記一般式（Ｙ）で表される化合物及びその塩をインク中の全染料の５０質量％以上の範囲で含有することが好ましい。前記一般式（Ｙ）で表される化合物及びその塩のインク中における含有量が前記範囲内であると、急激な褪色によるカラーバランスの低下を回避でき、長期での保存性に優れた画像を得ることができる。
前記一般式（Ｙ）で表される化合物及びその塩のインク中における含有量としては、前記同様の理由から、全染料量に対して、８０質量％以上の範囲がより好ましく、９０質量％以上の範囲が特に好ましい。
【０１３４】
なお、本発明におけるイエローインクは、前記一般式（Ｙ）で表される化合物及びその塩に加え、さらに他のイエロー染料を併用することができる。他のイエロー染料には、特に制限はなく、公知の染料を任意に選択して用いることができる。
【０１３５】
［水溶性有機溶剤］
イエローインクは、水溶性有機溶剤として、下記一般式（Ａ）で表されるグリコールエーテルの少なくとも１種を含有する。一般式（Ａ）で表されるグリコールエーテルを用いることで、含有割合を調整しつつも、安定的にイエロー色の濃度及び褪色性を保つことができる。これより、経時褪色によるカラーバランスの崩れを抑制することができる。
なお、水溶性有機溶剤の「水溶性」とは、２５℃の水に対する溶解度が１ｇ／１００ｇ以上であることをいう（本明細書中において以下同様である。）。
【０１３６】
【化２６】
2010077224.tif 000027
【０１３７】
前記一般式（Ａ）において、Ａは、エチレンオキシ基又はプロピレンオキシ基を表す。前記Ａがエチレンオキシ基を表す場合には、Ｒは炭素数１〜４の直鎖アルキル基を表し、前記Ａがプロピレンオキシ基を表す場合には、Ｒは炭素数１〜２の直鎖アルキル基を表す。ｎは、１又は２を表す。
【０１３８】
Ｒで表される炭素数１〜４の直鎖アルキル基としては、例えば、メチル基、エチル基、プロピル基、ブチル基が挙げられる。また、炭素数１〜２の直鎖アルキル基としては、例えば、メチル基、エチル基が挙げられる。直鎖アルキル基は、無置換でも置換基を有していてもよい。
【０１３９】
前記一般式（Ａ）で表されるグリコールエーテルの具体例としては、エチレングリコールモノメチルエーテル、エチレングリコールモノエチルエーテル、エチレングリコールモノプロピルエーテル、エチレングリコールモノブチルエーテル、ジエチレングルコールモノメチルエーテル、ジエチレングルコールモノエチルエーテル、ジエチレングルコールモノプロピルエーテル、ジエチレングリコールモノブチルエーテル、プロピレングリコールモノメチルエーテル、プロピレングリコールモノエチルエーテル、ジプロピレングリコールモノメチルエーテル、ジプロピレングリコールモノエチルエーテルなどを挙げることができる。
【０１４０】
上記のうち、褪色時のカラーバランスの改良効果の点から、本発明におけるグリコールエーテルは、デービス法によるＨＬＢ値が７．０〜９．５であるグリコールエーテルが好ましい。ここで、「デービス法によるＨＬＢ値」とは、官能基によって決まる基数を定め（例えば、メチル基やメチレン鎖は親油基で0.475、水酸基は親水基で1.9など）、「ＨＬＢ値＝７＋親水基の基数の総和−親油基の基数の総和」で定義されているものである。グリコールエーテルのＨＬＢ値としては、前記同様の理由から、８．１〜９．１がより好ましい。
【０１４１】
前記グリコールエーテルの中でも、イエロー色の濃度及び色相を保ちつつも、経時による多色画像の褪色時のカラーバランスを効果的に抑制する観点から、ジエチレングリコールモノプロピルエーテル、ジエチレングリコールモノエチルエーテル、エチレングリコールモノエチルエーテル、ジエチレングリコールモノメチルエーテル、エチレングリコールモノメチルエーテル、ジプロピレングリコールモノメチルエーテル、及びプロピレングリコールモノメチルエーテルが好ましい。
【０１４２】
本発明のイエローインクは、前記一般式（Ａ）で表されるグリコールエーテルを、インク中の全水溶性有機溶剤に対して２５質量％以上含有する。本発明におけるグリコールエーテルの含有量が水溶性有機溶剤の全質量の２５質量％未満であると、それ以外の他の水溶性有機溶剤の割合が多くなり、イエロー色の濃度及び経時でのカラーバランスを保てない。
中でも、一般式（Ａ）で表されるグリコールエーテルの全水溶性有機溶剤中に占める割合としては、前記同様の理由から、３０質量％以上が好ましく、４０質量％以上がより好ましい。また、上限値としては、９０質量％が望ましい。
【０１４３】
本発明のイエローインクにおいては、上記の一般式（Ａ）で表されるグリコールエーテルのほか、本発明の効果を損なわない範囲で、他の水溶性有機溶剤を併用してもよい。
他の水溶性有機溶剤の例としては、アルコール（例えば、メタノール、エタノール、プロパノール、イソプロパノール、ブタノール、イソブタノール、ｓｅｃ−ブタノール、ｔ−ブタノール、ペンタノール、ヘキサノール、シクロヘキサノール、ベンジルアルコール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール）、アミン（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレントリアミン、トリエチレンテトラミン、ポリエチレンイミン、テトラメチルプロピレンジアミン）、尿素、尿素誘導体及びその他の極性溶媒（例えば、ホルムアミド、Ｎ，Ｎ−ジメチルホルムアミド、Ｎ，Ｎ−ジメチルアセトアミド、２−ピロリドン、Ｎ−メチル−２−ピロリドン、Ｎ−ビニル−２−ピロリドン、２−オキサゾリドン、１，３−ジメチル−２−イミダゾリジノン、アセトニトリル、アセトン）が挙げられる。
【０１４４】
本発明のイエローインク中における水溶性有機溶剤の総含有量としては、１０〜８０質量％が好ましく、より好ましくは２０〜６０質量％である。なお、水溶性有機溶剤は、２５℃において液体でも固体でもよい化合物であり、２種以上を併用してもよい。
【０１４５】
［界面活性剤］
本発明のインクジェット記録用イエローインクは、前記一般式（Ｙ）で表される水溶性アゾ染料及び前記一般式（Ａ）で表されるグリコールエーテルと共に、さらに界面活性剤を含有することが好ましい。界面活性剤は、表面張力調整剤として含有し、静的表面張力および動的表面張力の調整が行なえる。
【０１４６】
界面活性剤としては、ノニオン系、カチオン系、又はアニオン系などの界面活性剤が挙げられる。本発明におけるイエローインクでは、インクの保存安定性や吐出安定性、更に受像紙へのインクの迅速な浸透性の点で、ノニオン系界面活性剤を含有することがより好ましい。
【０１４７】
前記ノニオン系界面活性剤としては、例えば、ポリオキシエチレンアルキルエーテル、ポリオキシエチレンアルキルアリルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックコポリマー等を挙げることができる。中でも、吐出安定性や受像紙へのインクの迅速な浸透性の点で、アセチレンジオール系界面活性剤が好ましく、好ましい例として、アセチレングリコール系（好ましくはアセチレン系ポリオキシエチレンオキシド）界面活性剤が好ましい。アセチレングリコール系界面活性剤の例として、ＳＵＲＦＹＮＯＬＳ（ＡｉｒＰｒｏｄｕｃｔｓ＆Ｃｈｅｍｉｃａｌｓ社、サーフィノール４６５など）が挙げられる。
【０１４８】
前記界面活性剤のイエローインク中における含有量としては、インク全質量に対して、０．００１〜１５質量％が好ましく、より好ましくは０．００５〜１０質量％であり、更に好ましくは０．０１〜５質量％であり、特に好ましくは０．１〜５質量％である。
界面活性剤（特にノニオン系界面活性剤）の含有量が前記範囲内であると、良好な吐出安定性が得られる点で有利である。
【０１４９】
イエローインクの表面張力としては、動的・静的表面張力のいずれも、２５℃において２０〜５０ｍＮ／ｍ以下であることが好ましく、２５〜４０ｍＮ／ｍ以下であることがより好ましい。表面張力は、５０ｍＮ／ｍ以下であると吐出安定性、混色時の滲み、ひげ等の画像品質が向上し、２０ｍＮ／ｍ以上であると吐出時のハード表面へのインクの付着等の防止効果が得られる。
【０１５０】
静的表面張力の測定方法としては、毛細管上昇法、滴下法、吊環法等が知られているが、本発明においては、垂直板法を静的表面張力測定法として用いたものである。垂直板法の原理は次の通りである。即ち、ガラス又は白金の薄い板を液体中に一部分浸して垂直に吊るすと、液面と板との接する部分に表面張力が下向きに働く。この表面張力は板を吊るしている上向きの力と釣り合わせることで測定することができる。
また、動的表面張力の測定方法としては、例えば「新実験化学講座、第１８巻、界面とコロイド」、「（株）丸善、ｐ．６９〜９０（１９７７）」に記載のように、振動ジェット法、メニスカス落下法、最大泡圧法等が知られており、さらに特開平３−２０６４号公報に記載の液膜破壊法が知られているが、本発明においては、バブルプレッシャー差圧法が用いられる。その測定原理と方法は次の通りである。即ち、界面活性剤を添加した溶液を撹拌して均一とし、溶液中で気泡を生成すると、新たな気−液界面が生成され、溶液中の界面活性剤分子が水の表面に一定速度で集まってくる。バブルレート（気泡の生成速度）を変化させたとき、生成速度が遅くなれば、より多くの界面活性剤が泡の表面に集まってくるため、泡がはじける直前の最大泡圧が小さくなり、バブルレートに対する最大泡圧（表面張力）が検出できる。本発明における動的表面張力測定では、大小２本のプローブを用いて溶液中で気泡を生成させ、２本のプローブの最大泡圧状態での差圧を測定し、動的表面張力を算出する。
【０１５１】
本発明におけるイエローインクは、上記の成分以外に、必要に応じて、乾燥防止剤（湿潤剤）、滲み改良剤、ブロンズ防止剤、会合促進剤、浸透促進剤、紫外線吸収剤、酸化防止剤、消泡剤、粘度調整剤、分散剤、分散安定剤、防黴剤、防錆剤、ｐＨ調整剤等の添加剤を適宜選択して含有することができる。
これらの添加剤の詳細については、特開２００７−１９７４９１号公報や特開２００８−１０１１７３号公報に記載されている。
【０１５２】
＜インクジェット記録用インクセット＞
本発明のインクジェット記録用インクセットは、イエローインクとマゼンタインクとシアンインクとを少なくとも設けて構成されたものであり、このイエローインクの少なくとも１種を、既述のように、前記一般式（Ｙ）で表される化合物及びその塩からなる群より選ばれる水溶性アゾ染料と、前記一般式（Ａ）で表されるグリコールエーテルとを少なくとも用い、グリコールエーテルの全水溶性有機溶剤に対する割合を２５質量％以上として構成したものである。
【０１５３】
インクジェット記録用インクセットを用いることにより、多色のカラー画像（例えばフルカラー画像）を記録することができる。フルカラー画像の記録には、インクに用いる顔料等の色材の色相を所望により変更することにより、マゼンタ色調のインク、シアン色調のインク、イエロー色調のインクとして用いることができる。さらに、色調を整えるために、ブラック色調のインクを用いることができる。また、イエロー（Ｙ）、マゼンタ（Ｍ）、シアン（Ｃ）の色調以外のレッド（Ｒ）、グリーン（Ｇ）、ブルー（Ｂ）、白色（Ｗ）の色調のインクや、いわゆる印刷分野における特色のインク等を用いることができる。
【０１５４】
本発明のインクジェット記録用インクセット（以下、「本発明のインクセット」ともいう。）においては、ピラゾールアゾ系のイエロー染料を単に含有するイエローインクを用いるのではなく、イエロー色用の染料として用いるピラゾールアゾ系のイエロー染料と共に、水溶性有機溶剤としてモノアルキレン又はジアルキレングリコールアルキルエーテルを用い、仮にイエロー染料の含有割合を減らしたり有機溶剤量が増えても、イエロー色の濃度及び色相を保ち得る構成にすることで、記録初期からの経時による多色画像の褪色時のカラーバランスを調整、抑制することができる。これより、カラーバランスが良好で長期での保存性に優れた画像が得られる。
【０１５５】
本発明のインクジェット記録用インクセットは、既述の本発明のインクジェット記録用イエローインクと、マゼンタ染料を含むマゼンタインクと、シアン染料を含むシアンインクとを有し、必要に応じて、ブラックインクなどの他のインクを更に用いて構成することができる。
なお、本発明のインクジェット記録用イエローインクの詳細については、既述した通りである。
【０１５６】
シアンインク及びマゼンタインク、並びに場合によりブラックインク等の他色のインクは、既述のイエローインクと同様に、染料、水溶性有機溶剤、界面活性剤、その他の添加剤などを用いて構成することができる。これらの水溶性有機溶剤、界面活性剤、及びその他の添加剤などの詳細については、既述のイエローインクにおける場合と同様であり、好ましい態様も同様である。
【０１５７】
以下、シアンインク、マゼンタインク、ブラックインクに好適に用いられる染料について詳述する。
【０１５８】
［水溶性フタロシアニン染料］
まず、シアンインク中の染料としては、下記一般式（Ｃ−１）で表される化合物及びその塩（水溶性フタロシアニン染料）が好ましい。この水溶性フタロシアニン染料は、前記一般式（Ｙ）で表される化合物（イエローの水性アゾ染料）と併用して画像記録した場合に、画像のカラーバランスを長期間安定的に保ち、保存性に優れた画像を得るのに好ましい。
【０１５９】
【化２７】
2010077224.tif 000028
【０１６０】
一般式（Ｃ−１）中、Ｑ１〜Ｑ４、Ｐ１〜Ｐ４、Ｗ１〜Ｗ４、Ｒ１〜Ｒ４は、それぞれ独立に、（＝Ｃ（Ｊ１）−又は−Ｎ＝）、（＝Ｃ（Ｊ２）−又は−Ｎ＝）、（＝Ｃ（Ｊ３）−又は−Ｎ＝）、（＝Ｃ（Ｊ４）−又は−Ｎ＝）を表す。Ｊ１〜Ｊ４は、それぞれ独立に、水素原子及び又は置換基を表す。Ｍは、水素原子、金属元素、金属酸化物、金属水酸化物、又は金属ハロゲン化物を表す。
【０１６１】
「Ｑ１、Ｐ１、Ｗ１、及びＲ１」を含む環Ａ、「Ｑ２、Ｐ２、Ｗ２、及びＲ２」を含む環Ｂ、「Ｑ３、Ｐ３、Ｗ３、及びＲ３」を含む環Ｃ、並びに「Ｑ４、Ｐ４、Ｗ４、及びＲ４」を含む環Ｄの４つの環は、芳香族炭化水素環、又はヘテロ環を表す。
【０１６２】
環Ａ、環Ｂ、環Ｃ、及び環Ｄのうち、画像の保存性の観点からは、少なくとも１つはヘテロ環であることが好ましい。環Ａ、環Ｂ、環Ｃ、及び環Ｄの１つ又は２つ以上の環がヘテロ環である場合、含窒素ヘテロ環が好ましく、中でもピリジン環、ピラジン環、ピリミジン環、ピリダジン環が好ましく、更にピリジン環、ピラジン環が好ましく、特にピリジン環が好ましい。
【０１６３】
また、環Ａ、環Ｂ、環Ｃ、及び環Ｄのうち、色相や色再現性の観点からは、少なくとも１つは芳香族炭化水素環であることが好ましく、２つ以上が芳香族炭化水素環であるものが更に好ましい。
【０１６４】
Ｊ１〜Ｊ４が置換基を表す場合、Ｊ１〜Ｊ４は電子求引性の置換基が好ましく、更にはＪ１〜Ｊ４の少なくとも１つはイオン性親水性基を有する置換基が好ましい。
【０１６５】
環Ａ、環Ｂ、環Ｃ、及び環Ｄの１つ又は２つ以上の環が芳香族環である場合、下記一般式（Ｉ）であることが好ましい。
【０１６６】
【化２８】
2010077224.tif 000029
【０１６７】
前記一般式（Ｉ）中、「＊」は、フタロシアニン骨格との結合位置を表す。Ｇは、−ＳＯ−Ｚ１、−ＳＯ２−Ｚ１、−ＳＯ２ＮＺ２Ｚ３、−ＣＯＮＺ２Ｚ３、−ＣＯ２Ｚ１、−ＣＯＺ１、又はスルホ基を表す。ｔは、１〜４の整数を表す。
【０１６８】
Ｚ１は、同一又は異なっていてもよく、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、置換もしくは無置換のヘテロ環基を表す。
【０１６９】
前記一般式（Ｉ）中、好ましいＺ１は、置換もしくは無置換のアルキル基、置換もしくは無置換のアリール基、置換もしくは無置換のヘテロ環基であり、その中でも置換アルキル基、置換アリール基が好ましく、置換アルキル基が最も好ましい。
【０１７０】
Ｚ２及びＺ３は、同一又は異なっていてもよく、水素原子、置換もしくは無置換のアルキル基、置換もしくは無置換のシクロアルキル基、置換もしくは無置換のアルケニル基、置換もしくは無置換のアルキニル基、置換もしくは無置換のアラルキル基、置換もしくは無置換のアリール基、又は置換もしくは無置換のヘテロ環基を表す。
【０１７１】
前記一般式（Ｉ）中、Ｚ１及びＺ２は、それぞれ独立に、水素原子、置換もしくは無置換のアルキル基、置換もしくは無置換のアリール基、又は置換もしくは無置換のヘテロ環基が好ましく、その中でも、水素原子、置換アルキル基、置換アリール基がより好ましく、特にＺ１及びＺ２の一方が水素原子を表し、他方が置換アルキル基又は置換アリール基を表す場合が好ましい。
【０１７２】
前記一般式（Ｉ）中、好ましいＧは、−ＳＯ−Ｚ１、−ＳＯ２−Ｚ１、−ＳＯ２ＮＺ２Ｚ３  、−ＣＯＮＺ２Ｚ３、−ＣＯ２Ｚ１、又は−ＣＯＺ１であり、その中でも−ＳＯ−Ｚ１、−ＳＯ２−Ｚ１、又は−ＳＯ２ＮＺ２Ｚ３が好ましく、特に−ＳＯ２−Ｚ１が好ましい。
【０１７３】
前記一般式（Ｉ）中、好ましいｔは１〜３の整数であり、その中でも１〜２の整数が好ましく、特にｔ＝１が好ましい。
【０１７４】
更には、前記一般式（Ｃ−１）で表される水溶性フタロシアニン染料において、環Ａ、環Ｂ、環Ｃ、環Ｄの１つ又は２つ以上の環が芳香族環である場合には、少なくとも１つの芳香族環が下記一般式（II）であることが好ましい。
【０１７５】
【化２９】
2010077224.tif 000030
【０１７６】
前記一般式（II）中、「＊」はフタロシアニン骨格との結合位置を表す。
前記一般式（II）中、Ｇは前記一般式（Ｉ）におけるＧと同義であり、好ましい態様も同様である。
また、前記一般式（II）中のｔ１は、１又は２を表し、特にｔ＝１が好ましい。
【０１７７】
本発明においては、前記一般式（Ｃ−１）で表される水溶性フタロシアニン染料以外に、シアンインクの色調の調整等のため、耐光性・耐オゾン性を損なわない範囲で、シアンインクは、他のシアン染料を用いることができる。他のシアン染料として、例えば、下記一般式（Ｃ−５）で表される染料又は染料混合物を用いることができる。
【０１７８】
【化３０】
2010077224.tif 000031
【０１７９】
前記一般式（Ｃ−５）において、Ｒ１及びＲ２は、各々独立に、水素原子又は１価の置換基を表す。１価の置換基は、更に置換基を有していてもよい。ａは、０〜５の整数を表し、ｂは０〜５の整数を表し、ｃは０〜５の整数を表す。
【０１８０】
更に、他のシアン系染料としては、例えば、Ｃ．Ｉ．ダイレクトブルー１，１０，１５，２２，２５，５５，６７，６８，７１，７６，７７，７８，８０，８４，８６，８７，９０，９８，１０６，１０８，１０９，１５１，１５６，１５８，１５９，１６０，１６８，１８９，１９２，１９３，１９４，１９９，２００，２０１，２０２，２０３，２０７，２１１，２１３，２１４，２１８，２２５，２２９，２３６，２３７，２４４，２４８，２４９，２５１，２５２，２６４，２７０，２８０，２８８，２８９，２９１、Ｃ．Ｉ．アシッドブルー９，２５，４０，４１，６２，７２，７６，７８，８０，８２，９２，１０６，１１２，１１３，１２０，１２７：１，１２９，１３８，１４３，１７５，１８１，２０５，２０７，２２０，２２１，２３０，２３２，２４７，２５８，２６０，２６４，２７１，２７７，２７８，２７９，２８０，２８８，２９０，３２６、Ｃ．Ｉ．リアクティブブルー２，３，５，８，１０，１３，１４，１５，１７，１８，１９，２１，２５，２６，２７，２８，２９，３８、Ｃ．Ｉ．ベーシックブルー１，３，５，７，９，２２，２６，４１，４５，４６，４７，５４，５７，６０，６２，６５，６６，６９，７１等を挙げることができるが、これらに限定されない。
【０１８１】
なお、本発明におけるシアンインクは、前記一般式で表される化合物に加え、さらに他のシアン染料を併用することができる。他のシアン染料には、特に制限はなく、公知の染料を任意に選択して用いることができる。
【０１８２】
［水溶性アゾ染料（マゼンタ系）］
次に、マゼンタインク中の染料としては、下記一般式（Ｍ−１）で表される水溶性アゾ染料が好ましい。この水溶性アゾ染料は、前記一般式（Ｙ）で表される化合物（イエローの水性アゾ染料）と併用して画像記録した場合に、画像のカラーバランスを長期間安定的に保ち、保存性に優れた画像を得るのに好ましい。
【０１８３】
【化３１】
2010077224.tif 000032
【０１８４】
前記一般式（Ｍ−１）中、Ａは、５員ヘテロ環ジアゾ成分Ａ−ＮＨ２の残基を表す。Ｂ１及びＢ２は、各々−ＣＲ１３＝、−ＣＲ１４＝を表すか、あるいはいずれか一方が窒素原子，他方が−ＣＲ１３＝又は−ＣＲ１４＝を表す。Ｒ１１，Ｒ１２は、各々独立に、水素原子、アルキル基、シクロアルキル基、アルケニル基、アルキニル基、アラルキル基、アリール基、ヘテロ環基、アシル基、アルコキシカルボニル基、アリールオキシカルボニル基、カルバモイル基、アルキルスルホニル基、アリールスルホニル基、又はスルファモイル基を表わす。各基は更に置換基を有していてもよい。Ｇ、Ｒ１３、Ｒ１４は、各々独立して、水素原子、ハロゲン原子、アルキル基、アルケニル基、アルキニル基、アラルキル基、アリール基、ヘテロ環基、シアノ基、カルボキシル基、カルバモイル基、アルコキシカルボニル基、アリールオキシカルボニル基、アシル基、ヒドロキシ基、アルコキシ基、アリールオキシ基、シリルオキシ基、アシルオキシ基、カルバモイルオキシ基、ヘテロ環オキシ基、アルコキシカルボニルオキシ基、アリールオキシカルボニルオキシ基、アルキル基又はアリール基又はヘテロ環基で置換されたアミノ基、アシルアミノ基、ウレイド基、スルファモイルアミノ基、アルコキシカルボニルアミノ基、アリールオキシカルボニルアミノ基、アルキル及びアリールスルホニルアミノ基、ニトロ基、アルキル及びアリールチオ基、アルキル及びアリールスルホニル基、アルキル及びアリールスルフィニル基、スルファモイル基、ヘテロ環チオ基又はイオン性親水性基を表す。各基は更に置換されていてもよい。また、Ｒ１３とＲ１１、あるいはＲ１１とＲ１２が結合して５〜６員環を形成してもよい。但し、一般式（Ｍ−１）は、少なくとも一つのイオン性親水性基を有する。
【０１８５】
本発明においては、上記一般式（Ｍ−１）において、好ましいＡは５員ヘテロ環であり、そのヘテロ原子の例にはＮ、Ｏ及びＳを挙げることができる。好ましくは、含窒素５員ヘテロ環であり、ヘテロ環に脂肪族環、芳香族環、又は他のヘテロ環が縮合していてもよい。Ａの好ましいヘテロ環の例としては、ピラゾール環、イミダゾール環、トリアゾール環、チアゾール環、イソチアゾール環、チアジアゾール環、ベンゾチアゾール環、ベンゾオキサゾール環、又はベンゾイソチアゾール環を挙げることができる。各ヘテロ環基は更に置換基を有していてもよい。中でも、下記一般式（ａ）〜（ｉ）で表されるヘテロ環が好ましい。
【０１８６】
【化３２】
2010077224.tif 000033
【０１８７】
前記一般式（ａ）〜（ｉ）において、Ｒｍ１〜Ｒｍ２０は一般式（Ｍ−１）におけるＲ１３又はＲ１４と同義である。
【０１８８】
前記一般式（Ｍ−１）中、Ｂ１及びＢ２は、各々、−ＣＲ１３＝もしくは−ＣＲ１４＝を表すか、又はいずれか一方が窒素原子、他方が−ＣＲ１３＝もしくは−ＣＲ１４＝を表すが、Ｂ１及びＢ２が、−ＣＲ１３＝又は−ＣＲ１４＝を表す場合が、より優れた性能を発揮できる点で好ましい。
【０１８９】
前記一般式（Ｍ−１）中、Ｒ１１，Ｒ１２は、各々独立に、水素原子、置換又は無置換のシクロアルキル基、置換又は無置換のアリール基、置換又は無置換のヘテロ環基、置換又は無置換のアシル基、置換又は無置換のアルキルスルホニル基、置換又は無置換のアリールスルホニル基が好ましく、更に水素原子、置換アリール基、置換ヘテロ環基が好ましく、その中でも置換アリール基、置換ヘテロ環基が特に好ましい。但し、Ｒ１１、Ｒ１２が同時に水素原子であることはない。
【０１９０】
前記一般式（Ｍ−１）中、Ｇは、水素原子、ハロゲン原子、アルキル基、アルケニル基、アルキニル基、アラルキル基、アリール基、ヒドロキシ基、アルコキシ基、アリールオキシ基、アシルオキシ基、ヘテロ環オキシ基、アルキル基又はアリール基又はヘテロ環基で置換されたアミノ基、アシルアミノ基、ウレイド基、スルファモイルアミノ基、アルコキシカルボニルアミノ基、アリールオキシカルボニルアミノ基、アルキル及びアリールスルホニルアミノ基、アルキル及びアリールチオ基、ヘテロ環チオ基又はイオン性親水性基が好ましい。各基は更に置換されていてもよい。
【０１９１】
更に、Ｇは、水素原子、ハロゲン原子、アルキル基、ヒドロキシ基、アルコキシ基、アリールオキシ基、アシルオキシ基、アルキル基又はアリール基又はヘテロ環基で置換されたアミノ基、アシルアミノ基が好ましい。
【０１９２】
その中でも、水素原子、アリール基又はヘテロ環基で置換されたアミノ基、アシルアミノ基が特に好ましく、置換基を有するアリール基で置換されたアミノ基が最も好ましい。
【０１９３】
前記一般式（Ｍ−１）中、Ｒ１３，Ｒ１４は、各々独立に、水素原子、アルキル基、シアノ基、カルボキシル基、カルバモイル基、アルコキシカルボニル基が好ましい。各基は更に置換されていてもよい。
【０１９４】
更に詳しくは、水素原子、アルキル基、シアノ基、カルボキシル基が好ましく、その中でもＲ１３が水素原子、Ｒ１４がアルキル基が好ましく、特にＲ１３が水素原子、Ｒ１４がメチル基が最も好ましい。
【０１９５】
前記一般式（Ｍ−１）で表される化合物におけるＡ，Ｂ１，Ｂ２，Ｒ１１〜Ｒ１４、Ｇの好ましい組み合わせについては、種々の基の少なくとも１つが前記の好ましい基である化合物が好ましく、より多くの種々の基が前記好ましい基である化合物がより好ましく、全ての基が前記好ましい基である化合物が最も好ましい。
【０１９６】
本発明では、前記一般式（Ｍ−１）で表される化合物のうち、下記一般式（Ｍ−２）で表される化合物が好ましい。
【０１９７】
【化３３】
2010077224.tif 000034
【０１９８】
一般式（Ｍ−２）中、Ａ、Ｂ１、Ｂ２、Ｒ１１及びＲ１２は、前記一般式（Ｍ−１）中のＡ、Ｂ１、Ｂ２、Ｒ１１及びＲ１２と同義である。
【０１９９】
ａ及びｅは各々独立に、アルキル基、アルコキシ基又はハロゲン原子を表すが、ａ及びｅが共にアルキル基であるときは、そのアルキル基を構成する炭素数の合計が３以上であって、それらはさらに置換されていてもよい。
【０２００】
ｂ、ｃ、ｄは、各々独立に前記一般式（Ｍ−１）中のＲ１３、Ｒ１４と同義であり、ａとｂ、又は、ｅとｄで互いに縮環していてもよい。但し、一般式（Ｍ−２）は、少なくとも一つのイオン性親水性基を有する。
【０２０１】
前記一般式（Ｍ−２）において、Ａは、前記一般式（Ｍ−１）中のＡと同義であり、好ましい例も同じである。Ｂ１、Ｂ２は、前記一般式（Ｍ−１）中のＢ１、Ｂ２と同義であり、好ましい例も同じである。Ｒ１１、Ｒ１２は、前記一般式（Ｍ−１）中のＲ１１、Ｒ１２と同義であり、好ましい例も同じである。また、ａ及びｅは各々独立に、アルキル基、アルコキシ基又はハロゲン原子を表すが、ａ及びｅが共にアルキル基であるときは、そのアルキル基を構成する炭素数の合計が３以上であって、それらはさらに置換されていてもよい。
更には、ａ及びｅは各々独立にメチル基、エチル基、イソプロピル基が好ましく、その中でもエチル基、イソプロピル基が好ましく、特にａ＝ｅ＝エチル基又はイソプルピル基が最も好ましい。また、ｂ、ｃ、ｄは、各々独立に前記一般式（Ｍ−１）中のＲ１３、Ｒ１４と同義であり、ａとｂ、又は、ｅとｄで互いに縮環していてもよい。但し、一般式（Ｍ−２）は、少なくとも一つのイオン性親水性基を有する。更には、ｃは水素原子、アルキル基が好ましく、その中でも水素原子、メチル基が特に好ましい。ｂ、ｄは、水素原子、イオン性親水性基が好ましく、その中でも水素原子、スルホ基、カルボキシ基が好ましく、特にｂとｄの組み合わせが水素原子とスルホ基であるのが最も好ましい。
【０２０２】
前記一般式（Ｍ−２）で表される化合物におけるＡ、Ｂ１，Ｂ２，Ｒ１１，Ｒ１２，ａ〜ｅの好ましい組み合わせについては、種々の基の少なくとも１つが前記の好ましい基である化合物が好ましく、より多くの種々の基が前記好ましい基である化合物がより好ましく、全ての基が前記好ましい基である化合物が最も好ましい。
【０２０３】
本発明では、前記一般式（Ｍ−２）で表される化合物のうち、下記一般式（Ｍ−３）で表される化合物が好ましい。
【０２０４】
【化３４】
2010077224.tif 000035
【０２０５】
一般式（Ｍ−３）中、Ｚ１１は、ハメットの置換基定数σｐ値が０．２０以上の電子吸引性基を表す。Ｚ１２は、水素原子、アルキル基、シクロアルキル基、アルケニル基、アルキニル基、アラルキル基、アリール基、ヘテロ環基又はアシル基を表す。Ｒ１１、Ｒ１２、Ｒ１３、Ｒ１４、ａ、ｂ、ｃ、ｄ及びｅは、各々前記一般式（Ｍ−２）の場合と同義である。Ｑは、水素原子、アルキル基、アルケニル基、アルキニル基、アラルキル基、アリール基又はヘテロ環基を表す。前記Ｚ１１、Ｚ１２及びＱの各基は、更に置換基を有していてもよい。但し、一般式（Ｍ−３）は、少なくとも一つのイオン性親水性基を有する。
【０２０６】
前記一般式（Ｍ−３）において、Ｒ１３、Ｒ１４は、前記一般式（Ｍ−１）中のＲ１３、Ｒ１４と同義であり、好ましい例も同じである。Ｒ１１、Ｒ１２は、前記一般式（Ｍ−１）中のＲ１１、Ｒ１２と同義であり、好ましい例も同じである。ａ、ｂ、ｃ、ｄ及びｅは、前記一般式（Ｍ−２）中のａ、ｂ、ｃ、ｄ及びｅと同義であり、好ましい例も同じである。また、Ｚ１１の前記電子吸引性基は、ハメットの置換基定数σｐ値が０．２０以上、好ましくは０．３０以上の電子吸引性基である。σｐ値の上限としては、好ましくは１．０である。
【０２０７】
σｐ値が０．２０以上の電子吸引性基の具体例としては、アシル基、アシルオキシ基、カルバモイル基、アルキルオキシカルボニル基、アリールオキシカルボニル基、シアノ基、ニトロ基、ジアルキルホスホノ基、ジアリールホスホノ基、ジアリールホスフィニル基、アルキルスルフィニル、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、ヘテロ環基、ハロゲン原子、アゾ基、セレノシアネート基及びσｐ値が０．２０以上の他の電子吸引性基で置換されたアリール基が挙げられる。
【０２０８】
Ｚ１１として好ましくはシアノ基、アルキルスルホニル基、アリールスルホニル基、ニトロ基、又はハロゲン原子であり、シアノ基、アルキルスルホニル基、又はアリールスルホニル基がより好ましく、シアノ基が最も好ましい。
【０２０９】
Ｚ１２としては水素原子、アルキル基、シクロアルキル基、アラルキル基、アリール基、ヘテロ環基、又はアシル基が好ましく、アルキル基がより好ましい。各置換基はさらに置換されていてもよい。
【０２１０】
更に詳しくは、Ｚ１２としてのアルキル基には、置換基を有するアルキル基及び無置換のアルキル基が含まれる。前記アルキル基は、置換基の炭素原子を除いた炭素原子数が１〜１２のアルキル基が好ましく、より好ましくは炭素原子数１〜６のアルキル基が好ましい。
【０２１１】
置換基の例には、ヒドロキシル基、アルコキシ基、シアノ基、ハロゲン原子、及びイオン性親水性基が含まれる。
【０２１２】
アルキル基の例には、メチル、エチル、ブチル、イソプロピル、ｔ−ブチル、ヒドロキシエチル、メトキシエチル、シアノエチル、トリフルオロメチル、３−スルホプロピル及び４−スルホブチルが含まれ、その中でもメチル、エチル、イソプロピル、ｔ−ブチルが好ましく、特にイソプロピル、ｔ−ブチルが好ましく、特にｔ−ブチルが最も好ましい。
【０２１３】
Ｚ１２としてのシクロアルキル基には、置換基を有するシクロアルキル基及び無置換のシクロアルキル基が含まれる。前記シクロアルキル基としては、置換基の炭素原子を除いた炭素原子数が５〜１２のシクロアルキル基が好ましい。置換基の例には、イオン性親水性基が含まれる。シクロアルキル基の例には、シクロヘキシル基が含まれる。
【０２１４】
Ｚ１２としてのアラルキル基としては、置換基を有するアラルキル基及び無置換のアラルキル基が含まれる。アラルキル基としては、置換基の炭素原子を除いた炭素原子数が７〜１２のアラルキル基が好ましい。前記置換基の例には、イオン性親水性基が含まれる。前記アラルキル基の例には、ベンジル基、及び２−フェネチル基が含まれる。
【０２１５】
Ｚ１２としてのアリール基には、置換基を有するアリール基及び無置換のアリール基が含まれる。アリール基としては、置換基の炭素原子を除いた炭素原子数が６〜１２のアリール基が好ましい。置換基の例には、アルキル基、アルコキシ基、ハロゲン原子、アルキルアミノ基、アミド基、カルバモイル基、スルファモイル基、スルホンアミド基、水酸基、エステル基及びイオン性親水性基が含まれる。アリール基の例には、フェニル、ｐ−トリル、ｐ−メトキシフェニル、ｏ−クロロフェニル及びｍ−（３−スルホプロピルアミノ）フェニルが含まれる。
【０２１６】
Ｚ１２としてのヘテロ環基には、置換基を有する複素環基及び無置換の複素環基が含まれる。複素環基としては、５員又は６員環の複素環基が好ましい。置換基の例には、アミド基、カルバモイル基、スルファモイル基、スルホンアミド基、水酸基、エステル基及びイオン性親水性基が含まれる。複素環基の例には、２−ピリジル基、２−チエニル基、２−チアゾリル基、２−ベンゾチアゾリル基及び２−フリル基が含まれる。
【０２１７】
Ｚ１２としてのアシル基には、置換基を有するアシル基及び無置換のアシル基が含まれる。前記アシル基としては、置換基の炭素原子を除いた炭素原子数が１〜１２のアシル基が好ましい。置換基の例には、イオン性親水性基が含まれる。アシル基の例には、アセチル基及びベンゾイル基が含まれる。
【０２１８】
前記一般式（Ｍ−３）において、Ｑは、水素原子、アルキル基、アルケニル基、アルキニル基、アラルキル基、アリール基又はヘテロ環基を表す。これら各置換基はさらに置換されていてもよい。これらの置換基の詳細は前記Ｒ１３、Ｒ１４の場合と同じである。
【０２１９】
Ｑは、電子吸引性基で置換された、アリール基又はヘテロ環基が好ましい。Ｑの置換基となる電子吸引性基は、ハメットの置換基定数σｐ値が０．２０以上、好ましくは０．３０以上の電子吸引性基である。σｐ値の上限としては、好ましくは１．０以下である。
【０２２０】
σｐ値が０．２０以上の電子吸引性基の具体例としては、前記一般式（Ｍ−３）中のＺ１１と同義である。
【０２２１】
更に詳しくは、Ｑは、電子吸引性基で置換されたヘテロ環基が好ましく、その中でもスルホ基、置換又は無置換のカルバモイル基、置換又は無置換のスルファモイル基で置換されたベンズオキサゾール環、ベンゾチアゾール環が好ましく、特にスルホ基、置換スルファモイル基で置換されたベンゾチアゾール環が最も好ましい。
【０２２２】
前記一般式（Ｍ−３）で表される化合物におけるＲ１１〜Ｒ１４，Ｚ１１〜Ｚ１２，Ｑ，ａ〜ｅの好ましい組み合わせについては、種々の基の少なくとも１つが前記の好ましい基である化合物が好ましく、より多くの種々の基が前記好ましい基である化合物がより好ましく、全ての基が前記好ましい基である化合物が最も好ましい。
【０２２３】
本発明の一般式（Ｍ−１）で表される化合物として特に好ましい組み合わせは、以下の（イ）〜（ニ）を含むものである。
【０２２４】
（イ）Ａの好ましいヘテロ環の例には、ピラゾール環、イミダゾール環、トリアゾール環、チアゾール環、イソチアゾール環、チアジアゾール環、ベンゾチアゾール環、ベンゾオキサゾール環、又はベンゾイソチアゾール環が好ましく、更にピラゾール環、イミダゾール環、トリアゾール環、チアゾール環、イソチアゾール環、チアジアゾール環が好ましく、その中でもピラゾール環、トリアゾール環、チアゾール環、イソチアゾール環、チアジアゾール環が好ましく、ピラゾール環が最も好ましい。
【０２２５】
（ロ）Ｂ１及びＢ２は、各々、−ＣＲ１３＝もしくは−ＣＲ１４＝を表すか、又はいずれか一方が窒素原子、他方が−ＣＲ１３＝もしくは−ＣＲ１４＝を表すが、Ｂ１及びＢ２が、−ＣＲ１３＝又は−ＣＲ１４＝を表す場合が好ましく、更にＲ１３が水素原子（Ｂ１が無置換炭素原子）、Ｒ１４が水素原子又はアルキル基（Ｂ２が無置換又はアルキル基で置換された炭素原子）が好ましく、特にＲ１３が水素原子（Ｂ１が無置換炭素原子）、Ｒ１４がメチル基（Ｂ２がメチル基で置換された炭素原子）が最も好ましい。
【０２２６】
（ハ）Ｒ１１、Ｒ１２は、各々独立に、水素原子、置換又は無置換のシクロアルキル基、置換又は無置換のアリール基、置換又は無置換のヘテロ環基、置換又は無置換のアシル基、置換又は無置換のアルキルスルホニル基、置換又は無置換のアリールスルホニル基が好ましく、更に水素原子、置換アリール基、置換ヘテロ環基が好ましく、その中でも置換アリール基、置換ヘテロ環基が好ましく、特にスルホ基で置換されたアリール基、及び、スルホ基で置換されたヘテロ環基が最も好ましい。
【０２２７】
（ニ）Ｇは、水素原子、ハロゲン原子、アルキル基、アルケニル基、アルキニル基、アラルキル基、アリール基、ヒドロキシ基、アルコキシ基、アリールオキシ基、アシルオキシ基、ヘテロ環オキシ基、アルキル基又はアリール基又はヘテロ環基で置換されたアミノ基、アシルアミノ基、ウレイド基、スルファモイルアミノ基、アルコキシカルボニルアミノ基、アリールオキシカルボニルアミノ基、アルキル及びアリールスルホニルアミノ基、アルキル及びアリールチオ基、ヘテロ環チオ基又はイオン性親水性基が好ましく、更に、水素原子、ハロゲン原子、アルキル基、ヒドロキシ基、アルコキシ基、アリールオキシ基、アシルオキシ基、アルキル基又はアリール基又はヘテロ環基で置換されたアミノ基、アシルアミノ基が好ましく、その中でも水素原子、アリール基又はヘテロ環基で置換されたアミノ基、アシルアミノ基が特に好ましく、置換を有するアリール基で置換されたアミノ基が最も好ましい。
【０２２８】
前記一般式（Ｍ−１）中、一般式（Ｍ−２）の場合が特に好ましい。
一般式（Ｍ−２）で表される化合物として特に好ましい組み合わせは、以下の（イ）〜（ニ）を含むものである。
【０２２９】
（イ）Ａのヘテロ環の例には、前記一般式（Ｍ−１）中のＡ〔前記一般式（Ｍ−１）における（イ）〕と同義であり、好ましい例も同じである。
（ロ）Ｂ１及びＢ２は、前記一般式（Ｍ−１）中のＢ１及びＢ２〔前記一般式（Ｍ−１）における（ロ）〕と同義であり、好ましい例も同じである。
（ハ）Ｒ１１、Ｒ１２は、前記一般式（Ｍ−１）中のＲ１１、Ｒ１２〔前記一般式（Ｍ−１）における（ハ）〕と同義であり、好ましい例も同じである。
（ニ）ａ及びｅは、アルキル基又はハロゲン原子が好ましく、ａ及びｅが共にアルキル基の時は無置換アルキル基であって、ａ及びｅの炭素数の合計が３以上（好ましくは５以下）であり、ａ、ｂ、ｃ、ｄは、各々水素原子、ハロゲン原子、アルキル基、イオン性親水性基（好ましくは各々水素原子、炭素数１〜４のアルキル基、イオン性親水性基）の場合が好ましい。更に好ましくは、ａ及びｅは各々独立にメチル基、エチル基、イソプロピル基が好ましく、その中でもエチル基、イソプロピル基が好ましく、特にａ＝ｅ＝エチル基又はイソプルピル基が最も好ましい。更に、ｃは、水素原子、アルキル基が好ましく、その中でも水素原子、メチル基が特に好ましい。ｂ、ｄは、水素原子、イオン性親水性基が好ましく、その中でも水素原子、スルホ基、カルボキシ基が好ましく、特にｂとｄの組み合わせが水素原子とスルホ基であるのが最も好ましい。
【０２３０】
前記一般式（Ｍ−２）中、一般式（Ｍ−３）の場合が特に好ましい。
本発明の一般式（Ｍ−３）で表される化合物の特に好ましい組み合わせは、以下に示す（イ）〜（ヘ）を含む組み合わせ（組み合わせ態様Ｍ）のものである。
【０２３１】
（イ）Ｚ１１は、ハメットの置換基定数σｐ値が０．２０以上、好ましくは０．３０以上の電子吸引性基である。σｐ値の上限としては、好ましくは１．０以下である。Ｚ１１として更に好ましくはシアノ基、アルキルスルホニル基、アリールスルホニル基、ニトロ基、又はハロゲン原子であり、シアノ基、アルキルスルホニル基、又はアリールスルホニル基がより好ましく、その中でもシアノ基が最も好ましい。
（ロ）Ｚ１２としては水素原子、アルキル基、シクロアルキル基、アラルキル基、アリール基、ヘテロ環基、又はアシル基が好ましく、アルキル基がより好ましい。各基はさらに置換されていてもよい。更に詳しくは、Ｚ１２としてのアルキル基には、置換基を有するアルキル基及び無置換のアルキル基が含まれる。前記アルキル基は、置換基の炭素原子を除いた炭素原子数が１〜１２のアルキル基が好ましく、より好ましくは炭素原子数１〜６のアルキル基が好ましい。置換基の例には、ヒドロキシル基、アルコキシ基、シアノ基、ハロゲン原子、及びイオン性親水性基が含まれる。その中でもメチル、エチル、ブチル、イソプロピル、ｔ−ブチル、ヒドロキシエチル、メトキシエチル、シアノエチル、トリフルオロメチル、３−スルホプロピル及び４−スルホブチルが好ましく、特にイソプロピル、ｔ−ブチルが好ましく、ｔ−ブチルが最も好ましい。
（ハ）Ｑは、水素原子、アルキル基、アルケニル基、アルキニル基、アラルキル基、アリール基又はヘテロ環基を表す。これら各置換基はさらに置換されていてもよい。更にＱは、電子吸引性基で置換された、アリール基又はヘテロ環基が好ましい。Ｑの置換基となる電子吸引性基は、ハメットの置換基定数σｐ値が０．２０以上、好ましくは０．３０以上の電子吸引性基である。σｐ値の上限としては、好ましくは１．０以下である。更に詳しくは、Ｑ電子吸引性基で置換されたヘテロ環基が好ましく、その中でもスルホ基、置換又は無置換のカルバモイル基、置換又は無置換のスルファモイル基で置換されたベンズオキサゾール環、ベンゾチアゾール環が好ましく、特にスルホ基、置換スルファモイル基で置換されたベンゾチアゾール環が最も好ましい。
（ニ）ａ、ｂ、ｃ、ｄ及びｅは、前記一般式（Ｍ−２）中のａ、ｂ、ｃ、ｄ及びｅ〔前記一般式（Ｍ−２）における（ニ）〕と同義であり、好ましい例も同じである。
（ホ）Ｒ１３及びＲ１４は、前記一般式（Ｍ−１）中のＲ１３及びＲ１４と同義であり、好ましい例も同じである。
（ヘ）Ｒ１１、Ｒ１２は、前記一般式（Ｍ−２）中のＲ１１、Ｒ１２〔前記一般式（Ｍ−２）における（ハ）〕と同義であり、好ましい例も同じである。
【０２３２】
前記一般式（Ｍ−１）、（Ｍ−２）及び（Ｍ−３）で表される化合物（アゾ色素）はその分子内にイオン性親水性基を少なくとも１つ（好ましくは３つ以上６つ以下）有する。イオン性親水性基には、スルホ基、カルボキシル基、ホスホノ基及び４級アンモニウム基等が含まれる。前記イオン性親水性基としては、カルボキシル基、ホスホノ基、及びスルホ基が好ましく、中でもカルボキシル基、スルホ基が好ましい。特に少なくとも１つはスルホ基である事が最も好ましい。カルボキシル基、ホスホノ基及びスルホ基は塩の状態であってもよく、塩を形成する対イオンの例には、アンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が含まれる。対イオンの中でもアルカリ金属塩が好ましい。アルカリ金属塩の中でも、カリウムイオン、ナトリウムイオン、リチウムイオンが好ましく、リチウムイオンが最も好ましい。特に、溶解性向上及びインクジェット印刷におけるブロンズ抑制の観点から、イオン性親水性基がスルホ基で、且つその対イオンがリチウムイオンの組み合わせが最も好ましい。
【０２３３】
前記アゾ色素はその分子内にイオン性親水性基を３つ以上６つ以下有することが好ましく、スルホ基を３つ以上６つ以下有することがより好ましく、スルホ基を３つ以上５つ以下有することが更に好ましい。
【０２３４】
なお、本発明におけるマゼンタインクは、前記一般式で表される化合物に加え、さらに他のマゼンタ染料を併用することができる。他のマゼンタ染料には、特に制限はなく、公知の染料を任意に選択して用いることができる。
【０２３５】
上記において、本発明のインクジェット記録用インクセットは、一般式（Ｙ）で表される水性アゾ染料（ＧがＳ-トリアジン環であって、Ｒが２級又は３級アルキル基であって、Ｘがシアノ基であって、Ｙが水素原子であって、Ｚが置換アリール基であって、Ｑが水素原子であって、ｎが１又は２である場合）を含むイエローインクと、一般式（Ｃ−Ｉ）で表される水溶性フタロシアニン染料（環Ａ、環Ｂ、環Ｃ、及び環Ｄの全てが前記一般式（Ｉ）又は（II）で表される環であって、Ｇが−ＳＯ２−Ｚ１（Ｚ１が置換アルキル基）であって、ｔが１〜２である場合）を含むシアンインクと、一般式（Ｍ−３）で表される水性アゾ染料（前記組み合わせ態様Ｍの場合）を含むマゼンタインクと、を含む形態が好ましい態様である。
【０２３６】
［水溶性アゾ染料（ブラック系）］
次に、ブラックインク中の染料としては、下記一般式（Ｂ−１）で表される水溶性アゾ染料が好ましい。この水溶性アゾ染料は、前記一般式（Ｙ）で表される化合物（イエローの水性アゾ染料）と併用して画像記録した場合に、画像のカラーバランスを長期間安定的に保ち、保存性に優れた画像を得るのに好ましい。
【０２３７】
【化３５】
2010077224.tif 000036
【０２３８】
前記一般式（Ｂ−１）中、Ａは、置換されていてもよい１価の芳香族基又はヘテロ環基を表し、Ｂは置換されていてもよい２価の芳香族基又はヘテロ環基を表す。Ｔ１及びＴ２は、各々＝ＣＲ４３−及び−ＣＲ４４＝を表すか、あるいはいずれか一方が窒素原子、他方が＝ＣＲ４３−又は−ＣＲ４４＝を表す。また、Ｖ１、Ｒ４３及びＲ４４は、各々独立に、水素原子、ハロゲン原子、アルキル基、アルケニル基、アルキニル基、アラルキル基、アリール基、ヘテロ環基、シアノ基、カルボキシル基、カルバモイル基、アルコキシカルボニル基、アリールオキシカルボニル基、複素環オキシカルボニル基、アシル基、ヒドロキシ基、アルコキシ基、アリールオキシ基、ヘテロ環オキシ基、シリルオキシ基、アシルオキシ基、カルバモイルオキシ基、アルコキシカルボニルオキシ基、アリールオキシカルボニルオキシ基、アミノ基（アルキルアミノ基、アリ−ルアミノ基、ヘテロ環アミノ基を含む）、アシルアミノ基、ウレイド基、スルファモイルアミノ基、アルコキシカルボニルアミノ基、アリールオキシカルボニルアミノ基、アルキルもしくはアリールスルホニルアミノ基、ヘテロ環スルホニルアミノ基、ニトロ基、アルキル及びアリールチオ基、ヘテロ環チオ基、アルキル及びアリールスルホニル基、ヘテロ環スルホニル基、アルキル及びアリールスルフィニル基、ヘテロ環スルフィニル基、スルファモイル基、又はスルホ基を表し、各基は更に置換されていてもよい。Ｒ４１、Ｒ４２は、各々独立に、水素原子、アルキル基、アルケニル基、アルキニル基、アラルキル基、アリール基、ヘテロ環基、アシル基、アルコキシカルボニル基、アリールオキシカルボニル基、カルバモイル基、アルキル又はアリールスルホニル基、スルファモイル基を表し、各基は更に置換基を有していてもよい。
但し、Ｒ４１、Ｒ４２が同時に水素原子であることはない。また、Ｒ４３とＲ４１、あるいはＲ４１とＲ４２が結合して５員環又は６員環を形成してもよい。
【０２３９】
前記一般式（Ｂ−１）について詳細に説明する。
前記一般式（Ｂ−１）において、好ましいＡは、置換されていてもよい１価の芳香族基又は置換されていてもよい１価のヘテロ環基が挙げられ、更に詳しくは置換されたフェニル基、置換されたナフチル基、置換又は無置換のヘテロ環基が好ましく、その中でもイオン性親水性基で置換されたフェニル基、ナフチル基、置換基を有する５〜６員の含窒素へテロ環が好ましく、特にスルホ基（それらの塩を含む）、カルボキシル基（それらの塩を含む）で置換されたフェニル基、ナフチル基が好ましく、更に２つ以上のスルホ基（それらの塩を含む）、カルボキシル基（それらの塩を含む）で置換されたフェニル基、ナフチル基が好ましく、２又は３個のスルホ基（それらの塩を含む）で置換されたナフチル基が最も好ましい。
【０２４０】
前記一般式（Ｂ−１）中、Ｂは、置換されていてもよい２価の芳香族基又は置換されていてもよい２価のヘテロ環基が挙げられ、更に詳しくは置換基を有する５〜６員ヘテロ環基が好ましく、その中でも置換基を有する５員ヘテロ環基が好ましい。５〜６員ヘテロ環とはヘテロ原子を含む５〜６員環を意味する。ヘテロ環のヘテロ原子としてはＮ、Ｓ及びＯ原子を挙げることができる。
【０２４１】
Ｂが表すヘテロ環は、脂肪族基、芳香族環又は他のヘテロ環が縮合していてもよく、更に縮環上に置換基を有していてもよい。また、Ｂが表すヘテロ環は、飽和へテロ環、不飽和ヘテロ環の両方を意味するが、好ましくは不飽和へテロ環が好ましい。含窒素へテロ環の場合は、Ｎ原子が４級化されていてもよい。また、互変異性となりうるヘテロ環については、互変異性体の１つのみを記載している場合でも、他の互変異性体も合わせて含まれる。
【０２４２】
特に好ましいＢが表すヘテロ環は、ピリジン環、ピラジン環、ピリミジン環、ピリダジン環、チオフェン環、チアゾール環、イミダゾール環、ベンゾチアゾール環、チエノチアゾール環が挙げられる。
【０２４３】
前記一般式（Ｂ−１）中、Ｔ１及びＴ２は、各々＝ＣＲ４３−及び−ＣＲ４４＝を表すか、あるいはいずれか一方が窒素原子、他方が＝ＣＲ４３−又は−ＣＲ４４＝を意味するが、好ましくはＴ１及びＴ２は、各々＝ＣＲ４３−及び−ＣＲ４４＝を表す場合がより優れた性能を発揮できる点で好ましい。
【０２４４】
前記一般式（Ｂ−１）中、Ｒ４１、Ｒ４２は、各々独立に、水素原子、アルキル基、アルケニル基、アルキニル基、アラルキル基、アリール基、ヘテロ環基、アシル基、アルコキシカルボニル基、アリールオキシカルボニル基、カルバモイル基、アルキル又はアリールスルホニル基、スルファモイル基を表し、各基は更に置換基を有していてもよいが、その中でも水素原子、アルキル基、アリール基、ヘテロ環基、アシル基、アルキル又はアリールスルホニル基が好ましく、更に水素原子、アルキル基、アリール基、ヘテロ環基が好ましく、特に水素原子、置換基を有するアリール基、置換基を有するヘテロ環基が好ましく、水素原子、置換基を有するアリール基が最も好ましい。但し、Ｒ４１、Ｒ４２が同時に水素原子であることはない。また、Ｒ４３とＲ４１、あるいはＲ４１とＲ４２が結合して５〜６員環を形成してもよい。
【０２４５】
前記一般式（Ｂ−１）中、Ｖ１は、水素原子、ハロゲン原子、アルキル基、アルケニル基、アルキニル基、アラルキル基、アリール基、ヘテロ環基、ヒドロキシ基、アルコキシ基、アリールオキシ基、ヘテロ環オキシ基、シリルオキシ基、アシルオキシ基、アミノ基（アルキルアミノ基、アリ−ルアミノ基、ヘテロ環アミノ基を含む）、アシルアミノ基、ウレイド基、スルファモイルアミノ基、アルコキシカルボニルアミノ基、アリールオキシカルボニルアミノ基、アルキル及びアリールチオ基、ヘテロ環チオ基が好ましく、各基は更に置換されていてもよい。
【０２４６】
更に好ましいＶ１は、水素原子、ハロゲン原子、アルキル基、ヒドロキシ基、アルコキシ基、アリールオキシ基、ヘテロ環オキシ基、シリルオキシ基、アシルオキシ基、アミノ基（アルキルアミノ基、アリ−ルアミノ基、ヘテロ環アミノ基を含む）、アシルアミノ基を表し、その中でも水素原子、アミノ基（アルキルアミノ基、アリ−ルアミノ基、ヘテロ環アミノ基を含む）、アシルアミノ基であり、特に置換基を有するアミノ基が好ましく、イオン性親水性基を置換基として有するアリール基で置換したアミノ基（置換アニリノ基等）が最も好ましい。
【０２４７】
一般式（Ｂ−１）で表される化合物の特に好ましい組み合わせは、以下の（イ）〜（ホ）を含むものである。
【０２４８】
（イ）Ａは、置換されたフェニル基、置換されたナフチル基、置換又は無置換のヘテロ環基が好ましく、その中でもイオン性親水性基で置換されたフェニル基、ナフチル基、置換基を有する５〜６員の含窒素へテロ環が好ましく、特にスルホ基（それらの塩を含む）、カルボキシル基（それらの塩を含む）で置換されたフェニル基、ナフチル基が好ましく、更に２つ以上のスルホ基（それらの塩を含む）、カルボキシル基（それらの塩を含む）で置換されたフェニル基、ナフチル基が好ましく、２又は３個のスルホ基（それらの塩を含む）で置換されたナフチル基が最も好ましい。
【０２４９】
（ロ）Ｂは、置換基を有する５〜６員ヘテロ環基が好ましく、その中でも置換基を有する５員ヘテロ環基が好ましい。特に好ましいヘテロ環は、ピリジン環、ピラジン環、ピリミジン環、ピリダジン環、チオフェン環、チアゾール環、イミダゾール環、ベンゾチアゾール環、チエノチアゾール環が挙げられる。
【０２５０】
（ハ）Ｔ１及びＴ２は、各々＝ＣＲ４３−及び−ＣＲ４４＝を表すか、あるいはいずれか一方が窒素原子、他方が＝ＣＲ４３−又は−ＣＲ４４＝を意味するが、好ましくはＴ１及びＴ２は、各々＝ＣＲ４３−及び−ＣＲ４４＝を表す場合がより優れた性能を発揮できる点で好ましい。
【０２５１】
（ニ）Ｒ４１、Ｒ４２は、水素原子、アルキル基、アリール基、ヘテロ環基、アシル基、アルキル又はアリールスルホニル基が好ましく、更に水素原子、アルキル基、アリール基、ヘテロ環基が好ましく、特に水素原子、置換基を有するアリール基、置換基を有するヘテロ環基が好ましく、水素原子、置換基を有するアリール基が最も好ましい。但し、Ｒ４１、Ｒ４２が同時に水素原子であることはない。また、Ｒ４３とＲ４１、あるいはＲ４１とＲ４２が結合して５〜６員環を形成してもよい。
【０２５２】
（ホ）Ｖ１は、水素原子、ハロゲン原子、アルキル基、ヒドロキシ基、アルコキシ基、アリールオキシ基、ヘテロ環オキシ基、シリルオキシ基、アシルオキシ基、アミノ基（アルキルアミノ基、アリ−ルアミノ基、ヘテロ環アミノ基を含む）、アシルアミノ基を表し、その中でも水素原子、アミノ基（アルキルアミノ基、アリ−ルアミノ基、ヘテロ環アミノ基を含む）、アシルアミノ基が好ましく、特に置換基を有するアミノ基が好ましく、イオン性親水性基を置換基として有するアリール基で置換したアミノ基（置換アニリノ基等）が最も好ましい。
【０２５３】
前記一般式（Ｂ−１）で表される色素におけるＡ，Ｂ，Ｔ１，Ｔ２，Ｒ４１，Ｒ４２，Ｖ１の好ましい組み合わせについては、種々の基の少なくとも１つが上記の好ましい基である化合物が好ましく、より多くの種々の基が前記好ましい基である化合物がより好ましく、全ての基が前記好ましい基である化合物が最も好ましい。
【０２５４】
前記一般式（Ｂ−１）で表される化合物のうち、下記一般式（Ｂ−２）で表される化合物が好ましい。
【０２５５】
【化３６】
2010077224.tif 000037
【０２５６】
前記一般式（Ｂ−２）中、Ｘは、Ｎ原子又は＝ＣＷ１−を表す。Ｗ１は、ハメットの置換基定数σｐ値が０．２０以上の電子吸引性基を表す。Ａ、Ｖ１、Ｔ１、Ｔ２、Ｒ４１及びＲ４２は、前記一般式（Ｂ−１）中のＡ、Ｖ１、Ｔ１、Ｔ２、Ｒ４１及びＲ４２と同義である。Ｗは、前記一般式（Ｂ−１）中のＶ１と同義である。
【０２５７】
前記一般式（Ｂ−２）について詳細に説明する。
前記一般式（Ｂ−２）において、好ましいＷは、置換フェニル基、置換又は無置換のナフチル基、置換又は無置換のヘテロ環基（例えばピロール環、チオフェン環、イミダゾール環、チアゾール環、ベンゾチアゾール環、ピリジン環又はピリダジン環）であり、特に好ましくは、置換フェニル基（特にパラ位置換のフェニル基）、置換又は無置換のβ−ナフチル基、ピリジン環又はチアゾール環である。
【０２５８】
前記一般式（Ｂ−２）において、Ｘは、Ｎ原子又は＝ＣＷ１−を表し、Ｗ１は、ハメットの置換基定数σｐ値が０．２０以上の電子吸引性基を表す。その中でも、σｐ値が０．３０以上の電子吸引性基であるのが好ましく、０．４５以上の電子吸引性基が更に好ましく、０．６０以上の電子吸引性基が特に好ましいが、１．０を超えないことが望ましい。更に詳しくは、炭素数２〜２０のアシル基、炭素数２〜２０のアルキルオキシカルボニル基、ニトロ基、シアノ基、炭素数１〜２０のアルキルスルホニル基、炭素数６〜２０のアリールスルホニル基、炭素数１〜２０のカルバモイル基及び炭素数１〜２０のハロゲン化アルキル基が好ましい。特に好ましいものは、シアノ基、炭素数１〜２０のアルキルスルホニル基、炭素数６〜２０のアリールスルホニル基であり、最も好ましいものはシアノ基である。
【０２５９】
前記一般式（Ｂ−２）において、Ａは、前記一般式（Ｂ−１）中のＡと同義であり、好ましい例も同じである。また、Ｔ１及びＴ２は、前記一般式（Ｂ−１）中のＴ１及びＴ２と同義であり、好ましい例も同じである。Ｒ４１、Ｒ４２は、前記一般式（Ｂ−１）中のＲ４１、Ｒ４２と同義であり、好ましい例も同じである。Ｖ１は、前記一般式（Ｂ−１）中のＶ１と同義であり、好ましい例も同じである。
【０２６０】
前記一般式（Ｂ−２）で表される化合物の特に好ましい組み合わせは、以下の（イ）〜（ヘ）を含むものである。
【０２６１】
（イ）好ましいＷは、置換フェニル基、置換又は無置換のナフチル基、置換又は無置換のヘテロ環基（例えばピロール環、チオフェン環、イミダゾール環、チアゾール環、ベンゾチアゾール環、ピリジン環又はピリダジン環）であり、特に好ましくは、置換フェニル基（特にパラ位置換のフェニル基）、置換又は無置換のβ−ナフチル基、ピリジン環又はチアゾール環である。
【０２６２】
（ロ）Ｘは、Ｎ原子又は＝ＣＷ１−を表し、Ｗ１は、ハメットの置換基定数σｐ値が０．２０以上の電子吸引性基を表す。更に詳しくは、炭素数２〜２０のアシル基、炭素数２〜２０のアルキルオキシカルボニル基、ニトロ基、シアノ基、炭素数１〜２０のアルキルスルホニル基、炭素数６〜２０のアリールスルホニル基、炭素数１〜２０のカルバモイル基及び炭素数１〜２０のハロゲン化アルキル基が好ましい。特に好ましいものは、シアノ基、炭素数１〜２０のアルキルスルホニル基、炭素数６〜２０のアリールスルホニル基であり、最も好ましいものはシアノ基である。
【０２６３】
（ハ）Ａは、置換されたフェニル基、置換されたナフチル基、置換又は無置換のヘテロ環基が好ましく、その中でもイオン性親水性基で置換されたフェニル基、ナフチル基、置換基を有する５〜６員の含窒素へテロ環が好ましく、特にスルホ基（それらの塩を含む）、カルボキシル基（それらの塩を含む）で置換されたフェニル基、ナフチル基が好ましく、更に２つ以上のスルホ基（それらの塩を含む）、カルボキシル基（それらの塩を含む）で置換されたフェニル基、ナフチル基が好ましく、２又は３個のスルホ基（それらの塩を含む）で置換されたナフチル基が最も好ましい。
【０２６４】
（ニ）Ｔ１及びＴ２は、各々＝ＣＲ４３−及び−ＣＲ４４＝を表すか、あるいはいずれか一方が窒素原子、他方が＝ＣＲ４３−又は−ＣＲ４４＝を意味するが、好ましくはＴ１及びＴ２は、各々＝ＣＲ４３−及び−ＣＲ４４＝を表す場合がより優れた性能を発揮できる点で好ましい。
【０２６５】
（ホ）Ｒ４１、Ｒ４２は、水素原子、アルキル基、アリール基、ヘテロ環基、アシル基、アルキル又はアリールスルホニル基が好ましく、更に水素原子、アルキル基、アリール基、ヘテロ環基が好ましく、特に水素原子、置換基を有するアリール基、置換基を有するヘテロ環基が好ましく、水素原子、置換基を有するアリール基が最も好ましい。但し、Ｒ４１、Ｒ４２が同時に水素原子であることはない。また、Ｒ４３とＲ４１、あるいはＲ４１とＲ４２が結合して５〜６員環を形成してもよい。
【０２６６】
（ヘ）Ｖ１は、水素原子、ハロゲン原子、アルキル基、ヒドロキシ基、アルコキシ基、アリールオキシ基、ヘテロ環オキシ基、シリルオキシ基、アシルオキシ基、アミノ基（アルキルアミノ基、アリ−ルアミノ基、ヘテロ環アミノ基を含む）、アシルアミノ基を表し、その中でも水素原子、アミノ基（アルキルアミノ基、アリ−ルアミノ基、ヘテロ環アミノ基を含む）、アシルアミノ基が好ましく、特に置換基を有するアミノ基が好ましく、イオン性親水性基を置換基として有するアリール基で置換したアミノ基（置換アニリノ基等）が最も好ましい。
【０２６７】
前記一般式（Ｂ−２）で表される色素におけるＷ，Ｘ，Ａ，Ｔ１，Ｔ２，Ｒ４１，Ｒ４２，Ｖ１の好ましい組み合わせについては、種々の基の少なくとも１つが上記の好ましい基である化合物が好ましく、より多くの種々の基が前記好ましい基である化合物がより好ましく、全ての基が前記好ましい基である化合物が最も好ましい。
【０２６８】
前記一般式（Ｂ−２）で表される化合物のうち、下記一般式（Ｂ−３）で表される化合物が好ましい。
【０２６９】
【化３７】
2010077224.tif 000038
【０２７０】
前記一般式（Ｂ−３）中、Ｖ１、Ｗ、Ｘ、Ｔ１，Ｔ２、Ｒ４１及びＲ４２は、前記一般式（Ｂ−２）中のＶ１、Ｗ、Ｘ、Ｔ１，Ｔ２、Ｒ４１及びＲ４２と同義である。Ｘ１、Ｘ２、Ｘ３、Ｘ４、Ｘ５、Ｘ６及びＸ７は、前記一般式（Ｂ−１）中のＶ１と同義である。
【０２７１】
前記一般式（Ｂ−３）について詳細に説明する。
前記一般式（Ｂ−３）において、Ｘ１、Ｘ２、Ｘ３、Ｘ４、Ｘ５、Ｘ６及びＸ７で表される１価の基としては、水素原子、又は１価の置換基を表す。１価の置換基を更に詳しく説明する。この１価の置換基の例としては、ハロゲン原子、アルキル基、シクロアルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基（アルキルアミノ基、アリルアミノ基）、アシルアミノ基（アミド基）、アミノカルボニルアミノ基（ウレイド基）、アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、ヘテロ環チオ基、スルファモイル基、アルキルスルフィニル基、アリールスルフィニル基、アルキルスルホニル基、アリールスルホニル基、アシル基、アリールオキシカルボニル基、アルコキシカルボニル基、カルバモイル基、ホスフィノ基、ホスフィニル基、ホスフィニルオキシ基、ホスフィニルアミノ基、シリル基、アゾ基、又はイミド基を挙げることができ、各々はさらに置換基を有していてもよい。
【０２７２】
好ましいＸ１、Ｘ２、Ｘ３、Ｘ４、Ｘ５、Ｘ６及びＸ７は、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基、アリールスルホニル基、カルバモイル基、アルコキシカルボニル基、スルホ基（それらの塩を含む）、カルボキシル基（それらの塩を含む）、水酸基（塩でもよい）、ホスホノ基（塩でもよい）又は４級アンモニウムであり、その中でも水素原子、ハロゲン原子、アルキル基、スルホ基（それらの塩を含む）、カルボキシル基（それらの塩を含む）、水酸基（塩でもよい）が好ましく、更に水素原子、スルホ基（それらの塩を含む）、カルボキシル基（それらの塩を含む）が好ましく、特にＸ１、Ｘ２、Ｘ３、Ｘ４、Ｘ５、Ｘ６及びＸ７のうち少なくとも１つがスルホ基（それらの塩を含む）又はカルボキシル基（それらの塩を含む）であることが好ましい。
【０２７３】
前記一般式（Ｂ−３）において、Ｗは、前記一般式（Ｂ−２）中のＷと同義であり、好ましい例も同じである。Ｘは、前記一般式（Ｂ−２）中のＸと同義であり、好ましい例も同じである。Ｔ１及びＴ２は前記一般式（Ｂ−２）中のＴ１及びＴ２と同義であり、好ましい例も同じである。Ｒ４１、Ｒ４２は前記一般式（Ｂ−２）中のＲ４１、Ｒ４２と同義であり、好ましい例も同じである。Ｖ１は、前記一般式（Ｂ−２）中のＶ１と同義であり、好ましい例も同じである。
【０２７４】
前記一般式（Ｂ−３）で表される化合物の特に好ましい組み合わせは、以下の（イ）〜（へ）を含むものである。
【０２７５】
（イ）Ｘ１、Ｘ２、Ｘ３、Ｘ４、Ｘ５、Ｘ６及びＸ７は、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基、アリールスルホニル基、カルバモイル基、アルコキシカルボニル基、スルホ基（それらの塩を含む）、カルボキシル基（それらの塩を含む）、水酸基（塩でもよい）、ホスホノ基（塩でもよい）又は４級アンモニウムであり、その中でも水素原子、ハロゲン原子、アルキル基、スルホ基（それらの塩を含む）、カルボキシル基（それらの塩を含む）、水酸基（塩でもよい）が好ましく、更に水素原子、スルホ基（それらの塩を含む）、カルボキシル基（それらの塩を含む）が好ましく、特にＸ１、Ｘ２、Ｘ３、Ｘ４、Ｘ５、Ｘ６及びＸ７のうち少なくとも１つがスルホ基（それらの塩を含む）又はカルボキシル基（それらの塩を含む）であることが好ましい。
【０２７６】
（ロ）好ましいＷは、置換フェニル基、置換又は無置換のナフチル基、置換又は無置換のヘテロ環基（例えばピロール環、チオフェン環、イミダゾール環、チアゾール環、ベンゾチアゾール環、ピリジン環又はピリダジン環）であり、特に好ましくは、置換フェニル基（特にパラ位置換のフェニル基）、置換又は無置換のβ−ナフチル基、ピリジン環又はチアゾール環である。
【０２７７】
（ハ）Ｘは、Ｎ原子又は＝ＣＷ１−を表し、Ｗ１は、ハメットの置換基定数σｐ値が０．２０以上の電子吸引性基を表す。更に詳しくは、炭素数２〜２０のアシル基、炭素数２〜２０のアルキルオキシカルボニル基、ニトロ基、シアノ基、炭素数１〜２０のアルキルスルホニル基、炭素数６〜２０のアリールスルホニル基、炭素数１〜２０のカルバモイル基及び炭素数１〜２０のハロゲン化アルキル基が好ましい。特に好ましいものは、シアノ基、炭素数１〜２０のアルキルスルホニル基、炭素数６〜２０のアリールスルホニル基であり、最も好ましいものはシアノ基である。
【０２７８】
（ニ）Ｔ１及びＴ２は、各々＝ＣＲ４３−及び−ＣＲ４４＝を表すか、あるいはいずれか一方が窒素原子、他方が＝ＣＲ４３−又は−ＣＲ４４＝を意味するが、好ましくはＴ１及びＴ２は、各々＝ＣＲ４３−及び−ＣＲ４４＝を表す場合がより優れた性能を発揮できる点で好ましい。
【０２７９】
（ホ）Ｒ４１、Ｒ４２は、水素原子、アルキル基、アリール基、ヘテロ環基、アシル基、アルキル又はアリールスルホニル基が好ましく、更に水素原子、アルキル基、アリール基、ヘテロ環基が好ましく、特に水素原子、置換基を有するアリール基、置換基を有するヘテロ環基が好ましく、水素原子、置換基を有するアリール基が最も好ましい。但し、Ｒ４１、Ｒ４２が同時に水素原子であることはない。また、Ｒ４３とＲ４１、あるいはＲ４１とＲ４２が結合して５〜６員環を形成してもよい。
【０２８０】
（ヘ）Ｖ１は、水素原子、ハロゲン原子、アルキル基、ヒドロキシ基、アルコキシ基、アリールオキシ基、ヘテロ環オキシ基、シリルオキシ基、アシルオキシ基、アミノ基（アルキルアミノ基、アリ−ルアミノ基、ヘテロ環アミノ基を含む）、アシルアミノ基を表し、その中でも水素原子、アミノ基（アルキルアミノ基、アリ−ルアミノ基、ヘテロ環アミノ基を含む）、アシルアミノ基が好ましく、特に置換基を有するアミノ基が好ましく、イオン性親水性基を置換基として有するアリール基で置換したアミノ基（置換アニリノ基等）が最も好ましい。
【０２８１】
一般式（Ｂ−３）で表される色素におけるＸ１〜Ｘ７、Ｗ、Ｘ、Ｔ１，Ｔ２，Ｖ１，Ｒ４１，Ｒ４２の好ましい組み合わせについては、種々の基の少なくとも１つが上記の好ましい基である化合物が好ましく、より多くの種々の基が前記好ましい基である化合物がより好ましく、全ての基が前記好ましい基である化合物が最も好ましい。
【０２８２】
前記一般式（Ｂ−３）で表される化合物のうち、下記一般式（Ｂ−４）又は下記一般式（Ｂ−５）で表される化合物が好ましい。
【０２８３】
【化３８】
2010077224.tif 000039
【０２８４】
前記一般式（Ｂ−４）中、Ｒ４１、Ｒ４２、Ｒ４３は前記一般式（Ｂ−１）中のＲ４１、Ｒ４２、Ｒ４３と同義である。Ｒ４４は、前記一般式（Ｂ−１）中のＲ４４と同義である。Ｒ４５、Ｒ４６は、前記一般式（Ｂ−３）中のＲ４１及びＲ４２と同義である。Ｗは、前記一般式（Ｂ−３）中のＷと同義である。Ｘ１、Ｘ２、Ｘ３、Ｘ４、Ｘ５、Ｘ６及びＸ７は、前記一般式（Ｂ−３）中のＸ１、Ｘ２、Ｘ３、Ｘ４、Ｘ５、Ｘ６及びＸ７と同義である。
【０２８５】
【化３９】
2010077224.tif 000040
【０２８６】
前記一般式（Ｂ−５）中、Ｒ４１、Ｒ４２、Ｒ４３は、前記一般式（Ｂ−１）中のＲ４１、Ｒ４２、Ｒ４３と同義である。Ｒ４４は、前記一般式（Ｂ−１）中のＲ４４と同義である。Ｒ４５、Ｒ４６は、前記一般式（Ｂ−３）中のＲ４１及びＲ４２と同義である。Ｗは、前記一般式（Ｂ−３）中のＷと同義である。Ｗ１１は、前記一般式（Ｂ−２）中のＷ１と同義である。Ｘ１、Ｘ２、Ｘ３、Ｘ４、Ｘ５、Ｘ６及びＸ７は、前記一般式（Ｂ−３）中のＸ１、Ｘ２、Ｘ３、Ｘ４、Ｘ５、Ｘ６及びＸ７と同義である。
【０２８７】
前記一般式（Ｂ−４）について詳細に説明する。
前記一般式（Ｂ−４）において、Ｘ１、Ｘ２、Ｘ３、Ｘ４、Ｘ５、Ｘ６及びＸ７は、前記一般式（Ｂ−３）中のＸ１、Ｘ２、Ｘ３、Ｘ４、Ｘ５、Ｘ６及びＸ７と同義であり、好ましい例も同じである。Ｗは、前記一般式（Ｂ−３）中のＷと同義であり、好ましい例も同じである。Ｒ４１、Ｒ４２は前記一般式（Ｂ−１）中のＲ４１、Ｒ４２と同義であり、好ましい例も同じである。Ｒ４３、Ｒ４４は、前記一般式（Ｂ−１）中のＲ４３、Ｒ４４と同義であり、好ましい例も同じである。Ｒ４５、Ｒ４６は前記一般式（Ｂ−３）中のＲ４１、Ｒ４２と同義であり、好ましい例も同じである。
【０２８８】
前記一般式（Ｂ−４）で表される化合物として特に好ましい組み合わせは、以下の（イ）〜（ホ）を含むものである。
【０２８９】
（イ）Ｘ１、Ｘ２、Ｘ３、Ｘ４、Ｘ５、Ｘ６及びＸ７は、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基、アリールスルホニル基、カルバモイル基、アルコキシカルボニル基、スルホ基（それらの塩を含む）、カルボキシル基（それらの塩を含む）、水酸基（塩でもよい）、ホスホノ基（塩でもよい）又は４級アンモニウムであり、その中でも水素原子、ハロゲン原子、アルキル基、スルホ基（それらの塩を含む）、カルボキシル基（それらの塩を含む）、水酸基（塩でもよい）が好ましく、更に水素原子、スルホ基（それらの塩を含む）、カルボキシル基（それらの塩を含む）が好ましく、特にＸ１、Ｘ２、Ｘ３、Ｘ４、Ｘ５、Ｘ６及びＸ７のうち少なくとも１つがスルホ基（それらの塩を含む）又はカルボキシル基（それらの塩を含む）であることが好ましい。
【０２９０】
（ロ）好ましいＷは、置換フェニル基、置換又は無置換のナフチル基、置換又は無置換のヘテロ環基（例えばピロール環、チオフェン環、イミダゾール環、チアゾール環、ベンゾチアゾール環、ピリジン環又はピリダジン環）であり、特に好ましくは、置換フェニル基（特にパラ位置換のフェニル基）、置換又は無置換のβ−ナフチル基、ピリジン環又はチアゾール環である。
【０２９１】
（ハ）Ｒ４１、Ｒ４２は、水素原子、アルキル基、アリール基、ヘテロ環基、アシル基、アルキル又はアリールスルホニル基が好ましく、更に水素原子、アルキル基、アリール基、ヘテロ環基が好ましく、特に水素原子、置換基を有するアリール基、置換基を有するヘテロ環基が好ましく、水素原子、置換基を有するアリール基が最も好ましい。但し、Ｒ４１、Ｒ４２が同時に水素原子であることはない。また、Ｒ４３とＲ４１、あるいはＲ４１とＲ４２が結合して５〜６員環を形成してもよい。
【０２９２】
（ニ）Ｒ４３及びＲ４４の好ましい例は、各々独立に、水素原子、ハロゲン原子、アルキル基、アルケニル基、アルキニル基、アラルキル基、アリール基、ヘテロ環基、シアノ基、カルボキシル基、カルバモイル基、アルコキシカルボニル基、アリールオキシカルボニル基、複素環オキシカルボニル基、ヒドロキシ基、アミノ基（アルキルアミノ基、アリ−ルアミノ基、ヘテロ環アミノ基を含む）、アシルアミノ基、ウレイド基、スルファモイルアミノ基、アルコキシカルボニルアミノ基、アリールオキシカルボニルアミノ基、アルキルもしくはアリールスルホニルアミノ基、ヘテロ環スルホニルアミノ基を表し、各基は更に置換されていてもよい。
更に好ましいＲ４３は、水素原子、ハロゲン原子、アリール基、ヘテロ環基、シアノ基、カルボキシル基、カルバモイル基、アルコキシカルボニル基、アリールオキシカルボニル基、複素環オキシカルボニル基であり、その中でもシアノ基、カルボキシル基、カルバモイル基、アルコキシカルボニル基が好ましく、特にシアノ基が最も好ましい。また、更に好ましいＲ４４は、水素原子、ハロゲン原子、アルキル基、アルケニル基、アルキニル基、アラルキル基、アリール基、ヘテロ環基、ヒドロキシ基、アミノ基（アルキルアミノ基、アリ−ルアミノ基、ヘテロ環アミノ基を含む）、アシルアミノ基、ウレイド基、スルファモイルアミノ基、アルコキシカルボニルアミノ基、アリールオキシカルボニルアミノ基、アルキルもしくはアリールスルホニルアミノ基、ヘテロ環スルホニルアミノ基であり、その中でも水素原子、ハロゲン原子、アルキル基、アルケニル基、アルキニル基、アラルキル基、アリール基が好ましく、特に、メチル基が最も好ましい。
【０２９３】
（ホ）Ｒ４５、Ｒ４６は、水素原子、アルキル基、アリール基、ヘテロ環基、アシル基、アルキル又はアリールスルホニル基が好ましく、更に水素原子、アルキル基、アリール基、ヘテロ環基が好ましく、特に水素原子、置換基を有するアリール基、置換基を有するヘテロ環基が好ましく、水素原子、置換基を有するアリール基が最も好ましい。但し、Ｒ４５、Ｒ４６が同時に水素原子であることはない。また、Ｒ４５とＲ４６が結合して５〜６員環を形成してもよい。
【０２９４】
前記一般式（Ｂ−４）で表される色素におけるＸ１〜Ｘ７，Ｗ，Ｒ４１〜Ｒ４６の好ましい組み合わせについては、種々の基の少なくとも１つが上記の好ましい基である化合物が好ましく、より多くの種々の基が前記好ましい基である化合物がより好ましく、全ての基が前記好ましい基である化合物が最も好ましい。
【０２９５】
前記一般式（Ｂ−５）について詳細に説明する。
前記一般式（Ｂ−５）において、Ｘ１、Ｘ２、Ｘ３、Ｘ４、Ｘ５、Ｘ６及びＸ７は、前記一般式（Ｂ−３）中のＸ１、Ｘ２、Ｘ３、Ｘ４、Ｘ５、Ｘ６及びＸ７と同義であり、好ましい例も同じである。
【０２９６】
前記一般式（Ｂ−５）においてＷは、前記一般式（Ｂ−３）中のＷと同義であり、好ましい例も同じである。Ｗ１１は、前記一般式（Ｂ−２）中のＷ１と同義であり、好ましい例も同じである。Ｒ４１、Ｒ４２は前記一般式（Ｂ−１）中のＲ４１、Ｒ４２と同義であり、好ましい例も同じである。Ｒ４３、Ｒ４４は、前記一般式（Ｂ−１）中のＲ４３、Ｒ４４と同義であり、好ましい例も同じである。Ｒ４５、Ｒ４６は前記一般式（Ｂ−３）中のＲ４１、Ｒ４２と同義であり、好ましい例も同じである。
【０２９７】
前記一般式（Ｂ−５）で表される化合物の特に好ましい組み合わせは、以下の（イ）〜（ヘ）を含むものである。
【０２９８】
（イ）Ｘ１、Ｘ２、Ｘ３、Ｘ４、Ｘ５、Ｘ６及びＸ７は、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基、アリールスルホニル基、カルバモイル基、アルコキシカルボニル基、スルホ基（それらの塩を含む）、カルボキシル基（それらの塩を含む）、水酸基（塩でもよい）、ホスホノ基（塩でもよい）又は４級アンモニウムであり、その中でも水素原子、ハロゲン原子、アルキル基、スルホ基（それらの塩を含む）、カルボキシル基（それらの塩を含む）、水酸基（塩でもよい）が好ましく、更に水素原子、スルホ基（それらの塩を含む）、カルボキシル基（それらの塩を含む）が好ましく、特にＸ１、Ｘ２、Ｘ３、Ｘ４、Ｘ５、Ｘ６及びＸ７のうち少なくとも１つがスルホ基（それらの塩を含む）又はカルボキシル基（それらの塩を含む）であることが好ましい。
【０２９９】
（ロ）好ましいＷは、置換フェニル基、置換又は無置換のナフチル基、置換又は無置換のヘテロ環基（例えばピロール環、チオフェン環、イミダゾール環、チアゾール環、ベンゾチアゾール環、ピリジン環又はピリダジン環）であり、特に好ましくは、置換フェニル基（特にパラ位置換のフェニル基）、置換又は無置換のβ−ナフチル基、ピリジン環又はチアゾール環である。
【０３００】
（ハ）好ましいＷ１１は、ハメットの置換基定数σｐ値が０．２０以上の電子吸引性基を表す。その中でも、σｐ値が０．３０以上の電子吸引性基であるのが好ましく、０．４５以上の電子吸引性基が更に好ましく、０．６０以上の電子吸引性基が特に好ましいが、１．０を超えないことが望ましい。更に詳しくは、炭素数２〜２０のアシル基、炭素数２〜２０のアルキルオキシカルボニル基、ニトロ基、シアノ基、炭素数１〜２０のアルキルスルホニル基、炭素数６〜２０のアリールスルホニル基、炭素数１〜２０のカルバモイル基及び炭素数１〜２０のハロゲン化アルキル基が好ましい。特に好ましいものは、シアノ基、炭素数１〜２０のアルキルスルホニル基、炭素数６〜２０のアリールスルホニル基であり、最も好ましいものはシアノ基である。
【０３０１】
（ニ）Ｒ４１、Ｒ４２は、水素原子、アルキル基、アリール基、ヘテロ環基、アシル基、アルキル又はアリールスルホニル基が好ましく、更に水素原子、アルキル基、アリール基、ヘテロ環基が好ましく、特に水素原子、置換基を有するアリール基、置換基を有するヘテロ環基が好ましく、水素原子、置換基を有するアリール基が最も好ましい。但し、Ｒ４１、Ｒ４２が同時に水素原子であることはない。また、Ｒ４３とＲ４１、あるいはＲ４１とＲ４２が結合して５〜６員環を形成してもよい。
【０３０２】
（ホ）Ｒ４３及びＲ４４の好ましい例は、各々独立に、水素原子、ハロゲン原子、アルキル基、アルケニル基、アルキニル基、アラルキル基、アリール基、ヘテロ環基、シアノ基、カルボキシル基、カルバモイル基、アルコキシカルボニル基、アリールオキシカルボニル基、複素環オキシカルボニル基、ヒドロキシ基、アミノ基（アルキルアミノ基、アリ−ルアミノ基、ヘテロ環アミノ基を含む）、アシルアミノ基、ウレイド基、スルファモイルアミノ基、アルコキシカルボニルアミノ基、アリールオキシカルボニルアミノ基、アルキルもしくはアリールスルホニルアミノ基、ヘテロ環スルホニルアミノ基を表し、各基は更に置換されていてもよい。
更に好ましいＲ４３は、水素原子、ハロゲン原子、アリール基、ヘテロ環基、シアノ基、カルボキシル基、カルバモイル基、アルコキシカルボニル基、アリールオキシカルボニル基、複素環オキシカルボニル基であり、その中でもシアノ基、カルボキシル基、カルバモイル基、アルコキシカルボニル基が好ましく、特にシアノ基が最も好ましい。また、更に好ましいＲ４４は、水素原子、ハロゲン原子、アルキル基、アルケニル基、アルキニル基、アラルキル基、アリール基、ヘテロ環基、ヒドロキシ基、アミノ基（アルキルアミノ基、アリ−ルアミノ基、ヘテロ環アミノ基を含む）、アシルアミノ基、ウレイド基、スルファモイルアミノ基、アルコキシカルボニルアミノ基、アリールオキシカルボニルアミノ基、アルキルもしくはアリールスルホニルアミノ基、ヘテロ環スルホニルアミノ基であり、その中でも水素原子、ハロゲン原子、アルキル基、アルケニル基、アルキニル基、アラルキル基、アリール基が好ましく、特に、メチル基が最も好ましい。
【０３０３】
（ヘ）Ｒ４５、Ｒ４６は、水素原子、アルキル基、アリール基、ヘテロ環基、アシル基、アルキル又はアリールスルホニル基が好ましく、更に水素原子、アルキル基、アリール基、ヘテロ環基が好ましく、特に水素原子、置換基を有するアリール基、置換基を有するヘテロ環基が好ましく、水素原子、置換基を有するアリール基が最も好ましい。但し、Ｒ４５、Ｒ４６が同時に水素原子であることはない。また、Ｒ４５とＲ４６が結合して５〜６員環を形成してもよい。
【０３０４】
前記一般式（Ｂ−５）で表される色素におけるＸ１〜Ｘ７、Ｗ、Ｗ１，Ｒ４１〜Ｒ４６の好ましい組み合わせについては、種々の基の少なくとも１つが上記の好ましい基である化合物が好ましく、より多くの種々の基が前記好ましい基である化合物がより好ましく、全ての基が前記好ましい基である化合物が最も好ましい。
【０３０５】
本発明では、前記一般式（Ｂ−４）又は（Ｂ−５）で表される化合物のうち、特に下記一般式（Ｂ−４−Ｉ）及び又は（Ｂ−５−Ｉ）で表される化合物がより優れた性能を発揮できる点で好ましい。
【０３０６】
【化４０】
2010077224.tif 000041
【０３０７】
前記一般式（Ｂ−４−Ｉ）中、Ｒ１１、Ｒ１２はイオン性親水性基を表す。特に好ましくはスルホ基（それらの塩を含む）、カルボキシル基（それらの塩を含む）であり、その中でもスルホ基が好ましい。ｍ、ｎは、１〜３の整数を表す。特に好ましくは１〜２の整数を表し、ｍ＝１及び又はｎ＝１が最も好ましい。Ｗは、前記一般式（Ｂ−４）中のＷと同義であり好ましい例も同じである。Ｘ１、Ｘ２、Ｘ３、Ｘ４、Ｘ５、Ｘ６及びＸ７は、前記一般式（Ｂ−４）中のＸ１、Ｘ２、Ｘ３、Ｘ４、Ｘ５、Ｘ６及びＸ７と同義であり好ましい例も同じである。
【０３０８】
【化４１】
2010077224.tif 000042
【０３０９】
前記一般式（Ｂ−５−Ｉ）中、Ｒ１１、Ｒ１２はイオン性親水性基を表す。特に好ましくはスルホ基（それらの塩を含む）、カルボキシル基（それらの塩を含む）であり、その中でもスルホ基が好ましい。ｍ、ｎは、１〜３の整数を表す。特に好ましくは１〜２の整数を表し、ｍ＝１及び又はｎ＝１が最も好ましい。Ｗは、前記一般式（Ｂ−５）中のＷと同義であり好ましい例も同じである。Ｗ１１は、前記一般式（Ｂ−５）中のＷ１１と同義であり好ましい例も同じである。Ｘ１、Ｘ２、Ｘ３、Ｘ４、Ｘ５、Ｘ６及びＸ７は、前記一般式（Ｂ−５）中のＸ１、Ｘ２、Ｘ３、Ｘ４、Ｘ５、Ｘ６及びＸ７と同義であり好ましい例も同じである。
【０３１０】
なお、本発明におけるブラックインクは、前記一般式で表される化合物に加え、さらに他のブラック染料を併用することができる。他のブラック染料には、特に制限はなく、公知の染料を任意に選択して用いることができる。
【０３１１】
また、各インクの調製方法については、特開平５−１４８４３６号、同５−２９５３１２号、同７−９７５４１号、同７−８２５１５号、同７−１１８５８４号の各公報に詳細が記載されていて、本発明におけるインクジェット記録用インクの調製にも利用できる。
【０３１２】
＜インクジェット記録方法＞
本発明のインクジェット記録方法は、既述の本発明のインクジェット記録用イエローインク、又は既述の本発明のインクジェット記録用インクセットを用い、支持体上に無機微粒子を含有するインク受容層を有するインクジェット記録媒体上に画像を記録する構成としたものである。
【０３１３】
本発明のインクジェット記録方法においては、イエローインクとして本発明のインクジェット記録用イエローインクを用いて記録するので、記録された画像を長期間保管した際に、画像のカラーバランスが大きく変化するのを抑えることができ、長期にわたって色調を安定的に保つことができる画像が得られる。
【０３１４】
本発明のインクセットを用いて記録する記録紙及び記録フィルムとしては、公知の被記録材、すなわち普通紙、樹脂コート紙、例えば特開平８−１６９１７２号公報、同８−２７６９３号公報、同２−２７６６７０号公報、同７−２７６７８９号公報、同９−３２３４７５号公報、特開昭６２−２３８７８３号公報、特開平１０−１５３９８９号公報、同１０−２１７４７３号公報、同１０−２３５９９５号公報、同１０−３３７９４７号公報、同１０−２１７５９７号公報、同１０−３３７９４７号公報等に記載のインクジェット専用紙、フィルム、電子写真共用紙、布帛、ガラス、金属、陶磁器等を用いることができる。
【０３１５】
記録紙及び記録フィルムにおける支持体は、ＬＢＫＰ、ＮＢＫＰ等の化学パルプ、ＧＰ、ＰＧＷ、ＲＭＰ、ＴＭＰ、ＣＴＭＰ、ＣＭＰ、ＣＧＰ等の機械パルプ、ＤＩＰ等の古紙パルプ等を用い、必要に応じて従来の公知の顔料、バインダー、サイズ剤、定着剤、カチオン剤、紙力増強剤等の添加剤を混合し、長網抄紙機、円網抄紙機等の各種装置で製造されたもの等が使用可能である。支持体としては、これらの支持体の他に合成紙、プラスチックフィルムシートのいずれであってもよく、支持体の厚みは１０〜２５０μｍ、坪量は１０〜２５０ｇ／ｍ２が望ましい。
【０３１６】
支持体としては、両面をポリオレフィン（例、ポリエチレン、ポリスチレン、ポリブテン及びそれらのコポリマー）やポリエチレンテレフタレートでラミネートした紙及びプラスチックフイルムがより好ましく用いられる。ポリオレフィン中に、白色顔料（例、酸化チタン、酸化亜鉛）又は色味付け染料（例、コバルトブルー、群青、酸化ネオジウム）を添加することが好ましい。
【０３１７】
本発明においては、支持体上に無機微粒子を含有するインク受容層を有するインクジェット記録媒体が好ましい。以下、支持体上に設けられるインク受容層について説明する。
インク受容層は、多孔質材料や水性バインダーを用いて形成できる。また、インク受容層には、無機微粒子として顔料を含む場合が好ましく、顔料としては、白色顔料が好ましい。白色顔料としては、炭酸カルシウム、カオリン、タルク、クレー、珪藻土、合成非晶質シリカ、珪酸アルミニウム、珪酸マグネシウム、珪酸カルシウム、水酸化アルミニウム、アルミナ、リトポン、ゼオライト、硫酸バリウム、硫酸カルシウム、二酸化チタン、硫化亜鉛、炭酸亜鉛等の無機白色顔料、スチレン系ピグメント、アクリル系ピグメント、尿素樹脂、メラミン樹脂等の有機顔料等が挙げられる。特に好ましくは、多孔性の白色無機顔料がよく、特に細孔面積が大きい合成非晶質シリカ等が好適である。合成非晶質シリカは、乾式製造法（気相法）によって得られる無水珪酸及び湿式製造法によって得られる含水珪酸のいずれも使用可能である。
【０３１８】
前記顔料をインク受容層に含有する記録紙としては、具体的には、特開平１０−８１０６４号、同１０−１１９４２３号、同１０−１５７２７７号、同１０−２１７６０１号、同１１−３４８４０９号、特開２００１−１３８６２１号、同２０００−４３４０１号、同２０００−２１１２３５号、同２０００−３０９１５７号、同２００１−９６８９７号、同２００１−１３８６２７号、特開平１１−９１２４２号、同８−２０８７号、同８−２０９０号、同８−２０９１号、同８−２０９３号、同８−１７４９９２号、同１１−１９２７７７号、特開２００１−３０１３１４号などの各公報に記載のものを用いることができる。
【０３１９】
前記水性バインダーとしては、ポリビニルアルコール、シラノール変性ポリビニルアルコール等のポリビニルアルコール又はその誘導体、デンプン、カチオン化デンプン、カゼイン、ゼラチン、カルボキシメチルセルロース、ヒドロキシエチルセルロース、ポリビニルピロリドン、ポリアルキレンオキサイド、ポリアルキレンオキサイド誘導体等の水溶性高分子、スチレンブタジエンラテックス、アクリルエマルジョン等の水分散性高分子等が挙げられる。これらの水性バインダーは単独又は２種以上併用して用いることができる。
中でも特に、ポリビニルアルコール、シラノール変性ポリビニルアルコール等のポリビニルアルコール又はその誘導体が、顔料に対する付着性、インク受容層の耐剥離性の点で好適である。
【０３２０】
インク受容層は、顔料及び水性バインダーのほか、媒染剤、耐水化剤、耐光性向上剤、耐ガス性向上剤、界面活性剤、硬膜剤その他の添加剤を含有することができる。なお、インク受容層中に含まれる媒染剤は、不動化されていることが好ましい。そのためには、ポリマー媒染剤が滲み防止の点で好ましく用いられる。
【０３２１】
本発明のインクジェット記録用インクセットの吐出に用いるインクジェット方式には、特に制限はなく、公知の方式、例えば静電誘引力を利用してインクを吐出させる電荷制御方式、ピエゾ素子の振動圧力を利用するドロップオンデマンド方式（圧力パルス方式）、電気信号を音響ビームに変えインクに照射して放射圧を利用してインクを吐出させる音響インクジェット方式、及びインクを加熱して気泡を形成し、生じた圧力を利用するサーマルインクジェット（バブルジェット（登録商標））方式等を適用することができる。インクジェット方式には、フォトインクと称する濃度の低いインクを小さい体積で多数射出する方式、実質的に同じ色相で濃度の異なる複数のインクを用いて画質を改良する方式や無色透明のインクを用いる方式が含まれる。
【実施例】
【０３２２】
以下、本発明を実施例により更に具体的に説明するが、本発明はその主旨を越えない限り、以下の実施例に限定されるものではない。なお、特に断りのない限り、「部」は質量基準である。
【０３２３】
（実施例１）
＜インクセットの作製＞
（イエローインクＹ−１０１の調製）
下記組成の成分にイオン交換水を加えて１０００ｇとした後、３０〜４０℃で加熱しながら１時間撹拌した。その後、平均孔径０．２μｍのミクロフィルターで加圧濾過し、イエローインクＹ−１０１を調製した。
【０３２４】
<イエローインクＹ−１０１の組成>
−固形成分−
・下記イエロー染料Ｙ−１のカリウム塩・・・６０．０ｇ
・プロキセルＸＬ−２（アーチ・ケミカルズ・ジャパン（株）製；１，２−ジベンジソチアゾリン−３−オン）・・・１．０ｇ
−液体成分−
・グリセリン・・・２０ｇ
・エチレングリコールモノブチルエーテル（ＨＬＢ値＝７．３３）・・・２５０ｇ
・オルフィンＥ１０１０（日信化学工業（株）製；アセチレンジオールのエチレンオキサイド(10モル)付加物（ノニオン系界面活性剤））・・・２０ｇ
・イオン交換水・・・６４９ｇ（全体で１０００ｇになるように添加）
【０３２５】
【化４２】
2010077224.tif 000043
【０３２６】
（マゼンタインクＭ−１０１の調製）
下記組成の成分にイオン交換水を加えて１０００ｇとした後、３０〜４０℃で加熱しながら１時間撹拌した。その後、平均孔径０．２μｍのミクロフィルターで加圧濾過し、マゼンタインクＭ−１０１を調製した。
【０３２７】
<マゼンタインク Ｍ−１０１の組成>
−固形成分−
・下記マゼンタ染料Ｍ−１・・・３０．０ｇ
・尿素・・・４８．０ｇ
・プロキセルＸＬ−２（アーチ・ケミカルズ・ジャパン（株）製）・・・１．０ｇ
−液体成分−
・グリセリン・・・８４．０ｇ
・トリエチレングリコール・・・２０．０ｇ
・トリエチレングリコールモノブチルエーテル・・・９９．０ｇ
・プロピレングリコール・・・３．０ｇ
・下記ベタイン化合物Ｗ−１・・・１７．０ｇ
・イオン交換水・・・６９８ｇ（全体で１０００ｇになるように添加）
【０３２８】
【化４３】
2010077224.tif 000044
【０３２９】
【化４４】
2010077224.tif 000045
【０３３０】
（シアンインクＣ−１０１の調製）
下記組成の成分にイオン交換水を加え１０００ｇとした後、３０〜４０℃で加熱しながら１時間撹拌した。その後、平均孔径０．２μｍのミクロフィルターで加圧濾過し、シアンインクＣ−１０１を調製した。
【０３３１】
<シアンインクＣ−１０１の組成>
−固形成分−
・下記シアン染料Ｃ−１・・・５４．０ｇ
・塩酸アミノグアニジン・・・２０．０ｇ
・尿素・・・３５．０ｇ
・下記ブロンズ改良剤Ａ・・・１０．０ｇ
・プロキセルＸＬ−２（アーチ・ケミカルズ・ジャパン（株）製）・・・１．０ｇ
−液体成分−
・グリセリン・・・９０ｇ
・トリエチレングリコール・・・２０ｇ
・トリエチレングリコールモノブチルエーテル・・・９４ｇ
・プロピレングリコール・・・３ｇ
・１，２−ヘキサンジオール・・・１２ｇ
・２−ピロリドン・・・３０ｇ
・オルフィンＥ１０１０（日信化学工業（株）製；アセチレンジオールのエチレンオキサイド(10モル)付加物（ノニオン系界面活性剤））・・・１０ｇ
・イオン交換水・・・６２１ｇ（全体で１０００ｇになるように添加）
【０３３２】
【化４５】
2010077224.tif 000046
【０３３３】
【化４６】
2010077224.tif 000047
【０３３４】
（ブラックインクＢｋ−１０１の調製）
下記組成の成分にイオン交換水を加えて１０００ｇとした後、３０〜４０℃で加熱しながら１時間撹拌した。その後、平均孔径０．２μｍのミクロフィルターで加圧濾過し、ブラックインクＢｋ−１０１を調製した。
【０３３５】
<ブラックインクＢｋ−１０１の組成>
−固形分−
・ブラック染料１（下記ブラック用主染料Ｂｋ−１）・・・６２．０ｇ
・ブラック染料２（下記ブラック用補色染料Ｂｋ−２）・・・１０．０ｇ
・プロキセルＸＬ−２（アーチ・ケミカルズ・ジャパン（株）製）・・・１．０ｇ
−液体成分−
・グリセリン・・・８０ｇ
・トリエチレングリコール・・・１０ｇ
・トリエチレングリコールモノブチルエーテル・・・８５ｇ
・プロピレングリコール・・・３ｇ
・１，２−ヘキサンジオール・・・１６ｇ
・オルフィンＥ１０１０（日信化学工業（株）製；アセチレンジオールのエチレンオキサイド(10モル)付加物（ノニオン系界面活性剤））・・・１０ｇ
・イオン交換水・・・７２３ｇ（全体で１０００ｇになるように添加）
【０３３６】
【化４７】
2010077224.tif 000048
【０３３７】
（インクセット１の作製）
上記で得られたイエローインクＹ−１０１、マゼンタインクＭ−１０１、シアンインクＣ−１０１、及びブラックインクＢｋ−１０１からなるインクセット１を作製した。
【０３３８】
＜インクセット２〜１８の作製＞
（イエローインクＹ−１０２〜Ｙ−１１８の調製）
前記イエローインクＹ−１０１の各成分を下記表１〜表３に示すように変更したこと以外は、前記イエローインクＹ−１０１の場合と同様にして、イエローインクＹ−１０２〜Ｙ−１１８を調製した。
【０３３９】
【表１】
2010077224.tif 000049
【０３４０】
【表２】
2010077224.tif 000050
【０３４１】
【表３】
2010077224.tif 000051
【０３４２】
前記表１〜表３中の略号の詳細を以下に示す。なお、カッコ内の数値は、デービス法により算出したＨＬＢ値を表す。
・ＥＧｍＢＥ：エチレングリコールモノブチルエーテル
・ＥＧｍＰＥ：エチレングリコールモノプロピルエーテル
・ＥＧｍＥＥ：エチレングリコールモノエチルエーテル
・ＥＧｍＭＥ：エチレングリコールモノメチルエーテル
・ＤＥＧｍＢＥ：ジエチレングリコールモノブチルエーテル
・ＤＥＧｍＰＥ：ジエチレングリコールモノプロピルエーテル
・ＤＥＧｍＥＥ：ジエチレングリコールモノエチルエーテル
・ＤＥＧｍＭＥ：ジエチレングリコールモノメチルエーテル
・ＰＧｍＥＥ：プロピレングリコールモノエチルエーテル
・ＰＧｍＭＥ：プロピレングリコールモノメチルエーテル
・ＤＰｍＥＥ：ジプロピレングリコールモノエチルエーテル
・ＤＰｍＭＥ：ジプロピレングリコールモノメチルエーテル
・ＴＥＧｍＢＥ：トリエチレングリコールモノブチルエーテル
・ＤＰＧｍＢＥ：ジプロピレングリコールモノブチルエーテル
・ＴＥＧ：トリエチレングリコール
・ＰＧ：プロピレングリコール
【０３４３】
【化４８】
2010077224.tif 000052
【０３４４】
・プロジェットイエロー１：ダイレクトイエロー８６の７．５％水溶液（フジフイルムイメージングカラランツ（株）製）
・プロジェットイエロー１Ｇ：ダイレクトイエロー１３２の７．５％水溶液（フジフイルムイメージングカラランツ（株）製）
【０３４５】
（インクセット２〜１８の作製）
前記インクセット１の作製において、イエローインクＹ−１０１をイエローインクＹ−１０２〜Ｙ−１１８にそれぞれ変更したこと以外は、前記インクセット１の場合と同様にして、インクセット２〜１８を作製した。
【０３４６】
＜画像記録及び評価＞
得られたインクセット１〜１８を順次用いて、富士フイルム（株）製のＤｒｙ Ｍｉｎｉｌａｂ４００インクカートリッジに充填し、富士フイルム（株）製インクジェット受像紙「画彩」ロールペーパーを用いて、２３℃、５０％ＲＨの環境下で記録を行なった。
イエロー、マゼンタ、シアンの各インクの単色濃度がそれぞれ異なるサンプル、及びイエロー、マゼンタ、シアンの４色によるコンポジットグレーの画像濃度が異なるサンプルを作成し、以下の画像評価を行なった。
【０３４７】
〜耐オゾン性〜
ＪＥＩＴＡ ＣＰ−３９０１（電子情報技術産業協会規格）による「デジタルカラー写真プリント画像保存性評価方法」に従い、イエロー、マゼンタ、シアンそれぞれについて、画像濃度ＣｉをＸ−ｒｉｔｅ３１０にて測定し、コンポジットニュートラルパッチ、単色パッチ、白地部で以下の濃度範囲に該当するパッチを選択した。
白地部
濃度０．５パッチ  ０．５±１０％
濃度１．０パッチ  １．０±１０％
濃度１．５パッチ  １．５±１０％
次に、オゾンガス濃度が５ｐｐｍに設定されたボックス内に放置し、オゾンガス環境下で放置前後の画像濃度を、反射濃度計（Ｘ−ｒｉｔｅ３１０ＴＲ）を用いて測定し、染料残存率（％；＝Ｃｆ／Ｃｉ×１００）を求めた。各色の単色パッチ及びコンポジットニュートラルパッチで得られた染料残存率のデータをもとに、前記ＪＥＩＴＡ ＣＰ−３９０１にしたがって画像の寿命を算出した。算出結果を下記表４に示す。
なお、この寿命年数は、画像中の各色材の色変化率、色バランス変化率、白地部の反射濃度をもとに求められる。
【０３４８】
【表４】
2010077224.tif 000053
【０３４９】
前記表４に示すように、実施例では、画像の記録後経時でのオゾン褪色による色バランスの崩れが緩和されており、記録画像は寿命が改善され、長期での保存性を向上させることができた。